(57)【要約】  本明細書では、冷凍システムおよびエアコンシステムでの、特に遠心圧縮機システムでの使用のための３，３，４，４，５，５，６，６，６−ノナフルオロ−１−ヘキセン組成物が開示される。共沸または擬共沸である、少なくとも１種のブロモフルオロカーボン、ケトン、アルコール、クロロカーボン、エーテル、エステル、４−クロロ−１，１，２，３，３，４−ヘキサフルオロブテン、Ｎ−（ジフルオロメチル）−Ｎ，Ｎ−ジメチルアミン、またはそれらの混合物と組み合わせての３，３，４，４，５，５，６，６，６−ノナフルオロ−１−ヘキセンもまた開示される。【特許請求の範囲】
【請求項１】
３，３，４，４，５，５，６，６，６−ノナフルオロ−１−ヘキセンと、
４−ブロモ−３，３，４，４−テトラフルオロブテン、
２−ブロモ−１，１，１，３，４，４，４−ヘプタフルオロブテン、
３−ブロモ−１，１，１，２，４，４，５，５，５−ノナフルオロブテン、
１−ブロモ−３，３，４，４，４−ペンタフルオロブテン、
２−ブロモ−３，３，４，４，４−ペンタフルオロブテン、
アセトン、
２−クロロ−１，１，１，４，４，５，５，５−オクタフルオロ−２−（トリフルオロメチル）−３−ペンタノン、
１，１，１，２，２，５，５，５−オクタフルオロ−４−（トリフルオロメチル）−３−ペンタノン、
メタノール、
エタノール、
ｎ−プロパノール、
イソプロパノール、
２，２，２−トリフルオロエタノール、
２，２，３，３，３−ペンタフルオロプロパノール、
２，２，３，３−テトラフルオロプロパノール、
ヘキサフルオロイソプロパノール、
１，１−ジクロロエタン、
シス−１，２−ジクロロエチレン、
トランス−１，２−ジクロロエチレン、
ジイソプロピルエーテル、
１，２−ジメトキシエタン、
ジメトキシメタン、
メチル第三級ブチルエーテル、
酢酸メチル、
ギ酸メチル、
酢酸エチル、
ギ酸エチル、
４−クロロ−１，１，２，３，３，４−ヘキサフルオロブテン、および
Ｎ−（ジフルオロメチル）−Ｎ，Ｎ−ジメチルアミン
からなる群から選択される少なくとも１種の化合物とを含むことを特徴とする冷媒または伝熱流体組成物。
【請求項２】
前記組成物が、
ＰＦＢＥおよび４−ブロモ−３，３，４，４−テトラフルオロブテン、
ＰＦＢＥおよび２−ブロモ−１，１，１，３，４，４，４−ヘプタフルオロブテン、
ＰＦＢＥおよび３−ブロモ−１，１，１，２，４，４，５，５，５−ノナフルオロブテン、
ＰＦＢＥおよび１−ブロモ−３，３，４，４，４−ペンタフルオロブテン、
ＰＦＢＥおよび２−ブロモ−３，３，４，４，４−ペンタフルオロブテン、
ＰＦＢＥおよびアセトン、
ＰＦＢＥおよび２−クロロ−１，１，１，４，４，５，５，５−オクタフルオロ−２−（トリフルオロメチル）−３−ペンタノン、
ＰＦＢＥおよび１，１，１，２，２，５，５，５−オクタフルオロ−４−（トリフルオロメチル）−３−ペンタノン、
ＰＦＢＥおよびメタノール、
ＰＦＢＥおよびエタノール、
ＰＦＢＥおよびｎ−プロパノール、
ＰＦＢＥおよびイソプロパノール、
ＰＦＢＥおよび２，２，２−トリフルオロエタノール、
ＰＦＢＥおよび２，２，３，３，３−ペンタフルオロプロパノール、
ＰＦＢＥおよび２，２，３，３−テトラフルオロプロパノール、
ＰＦＢＥおよびヘキサフルオロイソプロパノール、
ＰＦＢＥおよび１，１−ジクロロエタン、
ＰＦＢＥおよびシス−１，２−ジクロロエチレン、
ＰＦＢＥおよびトランス−１，２−ジクロロエチレン、
ＰＦＢＥおよびジイソプロピルエーテル、
ＰＦＢＥおよび１，２−ジメトキシエタン、
ＰＦＢＥおよびジメトキシメタン、
ＰＦＢＥおよびメチル第三級ブチルエーテル、
ＰＦＢＥおよび酢酸メチル、
ＰＦＢＥおよびギ酸メチル、
ＰＦＢＥおよび酢酸エチル、
ＰＦＢＥおよびギ酸エチル、
ＰＦＢＥおよび４−クロロ−１，１，２，３，３，４−ヘキサフルオロブテン、ならびに
ＰＦＢＥおよびＮ−（ジフルオロメチル）−Ｎ，Ｎ−ジメチルアミン
からなる群から選択されることを特徴とする請求項１に記載の冷媒または伝熱流体組成物。
【請求項３】
前記組成物が、
約２８〜約７６重量パーセントの３，３，４，４，５，５，６，６，６−ノナフルオロ−１−ヘキセンおよび約２４〜約７２重量パーセントの４−ブロモ−３，３，４，４−テトラフルオロブテン、
約１〜約９９重量パーセントの３，３，４，４，５，５，６，６，６−ノナフルオロ−１−ヘキセンおよび約１〜約９９重量パーセントの２−ブロモ−１，１，１，３，４，４，４−ヘプタフルオロブテン、
約１〜約９９重量パーセントの３，３，４，４，５，５，６，６，６−ノナフルオロ−１−ヘキセンおよび約１〜約９９重量パーセントの３−ブロモ−１，１，１，２，４，４，５，５，５−ノナフルオロブテン、
約１〜約８５重量パーセントの３，３，４，４，５，５，６，６，６−ノナフルオロ−１−ヘキセンおよび約１５〜約９９重量パーセントの１−ブロモ−３，３，４，４，４−ペンタフルオロブテン、
約１〜約９９重量パーセントの３，３，４，４，５，５，６，６，６−ノナフルオロ−１−ヘキセンおよび約１〜約９９重量パーセントの２−ブロモ−３，３，４，４，４−ペンタフルオロブテン、
約５４〜約８９重量パーセントの３，３，４，４，５，５，６，６，６−ノナフルオロ−１−ヘキセンおよび約１１〜約４６重量パーセントのアセトン、
約１〜約９９重量パーセントの３，３，４，４，５，５，６，６，６−ノナフルオロ−１−ヘキセンおよび約１〜約９９重量パーセントの２−クロロ−１，１，１，４，４，５，５，５−オクタフルオロ−２−（トリフルオロメチル）−３−ペンタノン、
約１〜約９９重量パーセントの３，３，４，４，５，５，６，６，６−ノナフルオロ−１−ヘキセンおよび約１〜約９９重量パーセントの１，１，１，２，２，５，５，５−オクタフルオロ−４−（トリフルオロメチル）−３−ペンタノン、
約７７〜約９６重量パーセントの３，３，４，４，５，５，６，６，６−ノナフルオロ−１−ヘキセンおよび約４〜約２３重量パーセントのメタノール、
約７６〜約９７重量パーセントの３，３，４，４，５，５，６，６，６−ノナフルオロ−１−ヘキセンおよび約３〜約２４重量パーセントのエタノール、
約７６〜約９８重量パーセントの３，３，４，４，５，５，６，６，６−ノナフルオロ−１−ヘキセンおよび約２〜約２４重量パーセントのｎ−プロパノール、
約７３〜約９７重量パーセントの３，３，４，４，５，５，６，６，６−ノナフルオロ−１−ヘキセンおよび約３〜約２７重量パーセントのイソプロパノール、
約５８〜約９３重量パーセントの３，３，４，４，５，５，６，６，６−ノナフルオロ−１−ヘキセンおよび約７〜約４２重量パーセントの２，２，２−トリフルオロエタノール、
約５０〜約９１重量パーセントの３，３，４，４，５，５，６，６，６−ノナフルオロ−１−ヘキセンおよび約９〜約５０重量パーセントの２，２，３，３，３−ペンタフルオロプロパノール、
約６０〜約９９重量パーセントの３，３，４，４，５，５，６，６，６−ノナフルオロ−１−ヘキセンおよび約１〜約４０重量パーセントの２，２，３，３−テトラフルオロプロパノール、
約２８〜約８６重量パーセントの３，３，４，４，５，５，６，６，６−ノナフルオロ−１−ヘキセンおよび約１４〜約７２重量パーセントのヘキサフルオロイソプロパノール、
約３９〜約８４重量パーセントの３，３，４，４，５，５，６，６，６−ノナフルオロ−１−ヘキセンおよび約１６〜約６１重量パーセントの１，１−ジクロロエタン、
約３５〜約９９重量パーセントの３，３，４，４，５，５，６，６，６−ノナフルオロ−１−ヘキセンおよび約１〜約６５重量パーセントのシス−１，２−ジクロロエチレン、
約２２〜約７９重量パーセントの３，３，４，４，５，５，６，６，６−ノナフルオロ−１−ヘキセンおよび約２１〜約７８重量パーセントのトランス−１，２−ジクロロエチレン、
約１〜約９９重量パーセントの３，３，４，４，５，５，６，６，６−ノナフルオロ−１−ヘキセンおよび約１〜約９９重量パーセントのジイソプロピルエーテル、
約６４〜約９９重量パーセントの３，３，４，４，５，５，６，６，６−ノナフルオロ−１−ヘキセンおよび約１〜約３６重量パーセントの１，２−ジメトキシエタン、
約１〜約８１重量パーセントの３，３，４，４，５，５，６，６，６−ノナフルオロ−１−ヘキセンおよび約１９〜約９９重量パーセントのジメトキシメタン、
約１〜約９９重量パーセントの３，３，４，４，５，５，６，６，６−ノナフルオロ−１−ヘキセンおよび約１〜約９９重量パーセントのメチル第三級ブチルエーテル、
約４９〜約８７重量パーセントの３，３，４，４，５，５，６，６，６−ノナフルオロ−１−ヘキセンおよび約１３〜約５１重量パーセントの酢酸メチル、
約３７〜約８３重量パーセントの３，３，４，４，５，５，６，６，６−ノナフルオロ−１−ヘキセンおよび約１７〜約６３重量パーセントのギ酸メチル、
約５８〜約９９重量パーセントの３，３，４，４，５，５，６，６，６−ノナフルオロ−１−ヘキセンおよび約１〜約４２重量パーセントの酢酸エチル、
約４６〜約８６重量パーセントの３，３，４，４，５，５，６，６，６−ノナフルオロ−１−ヘキセンおよび約１４〜約５４重量パーセントのギ酸エチル、
約１〜約９９重量パーセントの３，３，４，４，５，５，６，６，６−ノナフルオロ−１−ヘキセンおよび約１〜約９９重量パーセントの４−クロロ−１，１，２，３，３，４−ヘキサフルオロブテン、ならびに
約１〜約９９重量パーセントの３，３，４，４，５，５，６，６，６−ノナフルオロ−１−ヘキセンおよび約１〜約９９重量パーセントのＮ−（ジフルオロメチル）−Ｎ，Ｎ−ジメチルアミン
からなる群から選択される共沸または擬共沸組成物であることを特徴とする請求項１に記載の冷媒または伝熱流体組成物。
【請求項４】
前記組成物が、
約４０〜約７０重量パーセントの３，３，４，４，５，５，６，６，６−ノナフルオロ−１−ヘキセンおよび約３０〜約６０重量パーセントの４−ブロモ−３，３，４，４−テトラフルオロブテン、
約４０〜約９９重量パーセントの３，３，４，４，５，５，６，６，６−ノナフルオロ−１−ヘキセンおよび約１〜約６０重量パーセントの２−ブロモ−１，１，１，３，４，４，４−ヘプタフルオロブテン、
約４０〜約９９重量パーセントの３，３，４，４，５，５，６，６，６−ノナフルオロ−１−ヘキセンおよび約１〜約６０重量パーセントの３−ブロモ−１，１，１，２，４，４，５，５，５−ノナフルオロブテン、
約４０〜約８５重量パーセントの３，３，４，４，５，５，６，６，６−ノナフルオロ−１−ヘキセンおよび約１５〜約６０重量パーセントの１−ブロモ−３，３，４，４，４−ペンタフルオロブテン、
約４０〜約９９重量パーセントの３，３，４，４，５，５，６，６，６−ノナフルオロ−１−ヘキセンおよび約１〜約６０重量パーセントの２−ブロモ−３，３，４，４，４−ペンタフルオロブテン、
約６０〜約８９重量パーセントの３，３，４，４，５，５，６，６，６−ノナフルオロ−１−ヘキセンおよび約１１〜約４０重量パーセントのアセトン、
約４０〜約９９重量パーセントの３，３，４，４，５，５，６，６，６−ノナフルオロ−１−ヘキセンおよび約１〜約６０重量パーセントの２−クロロ−１，１，１，４，４，５，５，５−オクタフルオロ−２−（トリフルオロメチル）−３−ペンタノン、
約４０〜約９９重量パーセントの３，３，４，４，５，５，６，６，６−ノナフルオロ−１−ヘキセンおよび約１〜約６０重量パーセントの１，１，１，２，２，５，５，５−オクタフルオロ−４−（トリフルオロメチル）−３−ペンタノン、
約８０〜約９６重量パーセントの３，３，４，４，５，５，６，６，６−ノナフルオロ−１−ヘキセンおよび約４〜約２０重量パーセントのメタノール、
約８０〜約９７重量パーセントの３，３，４，４，５，５，６，６，６−ノナフルオロ−１−ヘキセンおよび約３〜約２０重量パーセントのエタノール、
約８０〜約９８重量パーセントの３，３，４，４，５，５，６，６，６−ノナフルオロ−１−ヘキセンおよび約２〜約２０重量パーセントのｎ−プロパノール、
約８０〜約９７重量パーセントの３，３，４，４，５，５，６，６，６−ノナフルオロ−１−ヘキセンおよび約３〜約２０重量パーセントのイソプロパノール、
約６０〜約９３重量パーセントの３，３，４，４，５，５，６，６，６−ノナフルオロ−１−ヘキセンおよび約７〜約４０重量パーセントの２，２，２−トリフルオロエタノール、
約６０〜約９１重量パーセントの３，３，４，４，５，５，６，６，６−ノナフルオロ−１−ヘキセンおよび約９〜約４０重量パーセントの２，２，３，３，３−ペンタフルオロプロパノール、
約７０〜約９９重量パーセントの３，３，４，４，５，５，６，６，６−ノナフルオロ−１−ヘキセンおよび約１〜約３０重量パーセントの２，２，３，３−テトラフルオロプロパノール、
約４０〜約８６重量パーセントの３，３，４，４，５，５，６，６，６−ノナフルオロ−１−ヘキセンおよび約１４〜約６０重量パーセントのヘキサフルオロイソプロパノール、
約４０〜約８０重量パーセントの３，３，４，４，５，５，６，６，６−ノナフルオロ−１−ヘキセンおよび約２０〜約６０重量パーセントの１，１−ジクロロエタン、
約４０〜約９９重量パーセントの３，３，４，４，５，５，６，６，６−ノナフルオロ−１−ヘキセンおよび約１〜約６０重量パーセントのシス−１，２−ジクロロエチレン、
約３０〜約７９重量パーセントの３，３，４，４，５，５，６，６，６−ノナフルオロ−１−ヘキセンおよび約２１〜約７０重量パーセントのトランス−１，２−ジクロロエチレン、
約４０〜約９９重量パーセントの３，３，４，４，５，５，６，６，６−ノナフルオロ−１−ヘキセンおよび約１〜約６０重量パーセントのジイソプロピルエーテル、
約７０〜約９９重量パーセントの３，３，４，４，５，５，６，６，６−ノナフルオロ−１−ヘキセンおよび約１〜約３０重量パーセントの１，２−ジメトキシエタン、
約２０〜約８１重量パーセントの３，３，４，４，５，５，６，６，６−ノナフルオロ−１−ヘキセンおよび約１９〜約８０重量パーセントのジメトキシメタン、
約４０〜約９９重量パーセントの３，３，４，４，５，５，６，６，６−ノナフルオロ−１−ヘキセンおよび約１〜約６０重量パーセントのメチル第三級ブチルエーテル、
約６０〜約８７重量パーセントの３，３，４，４，５，５，６，６，６−ノナフルオロ−１−ヘキセンおよび約１３〜約４０重量パーセントの酢酸メチル、
約４０〜約８７重量パーセントの３，３，４，４，５，５，６，６，６−ノナフルオロ−１−ヘキセンおよび約１３〜約６０重量パーセントのギ酸メチル、
約６０〜約９９重量パーセントの３，３，４，４，５，５，６，６，６−ノナフルオロ−１−ヘキセンおよび約１〜約４０重量パーセントの酢酸エチル、
約５０〜約８６重量パーセントの３，３，４，４，５，５，６，６，６−ノナフルオロ−１−ヘキセンおよび約１４〜約５０重量パーセントのギ酸エチル、
約４０〜約９９重量パーセントの３，３，４，４，５，５，６，６，６−ノナフルオロ−１−ヘキセンおよび約１〜約６０重量パーセントの４−クロロ−１，１，２，３，３，４−ヘキサフルオロブテン、ならびに
約４０〜約９９重量パーセントの３，３，４，４，５，５，６，６，６−ノナフルオロ−１−ヘキセンおよび約１〜約６０重量パーセントのＮ−（ジフルオロメチル）−Ｎ，Ｎ−ジメチルアミン
からなる群から選択される共沸または擬共沸組成物であることを特徴とする請求項１に記載の冷媒または伝熱流体組成物。
【請求項５】
前記組成物が、
約３８．１℃の温度で約１４．７ｐｓｉａ（１０１ｋＰａ）の蒸気圧を有する５１．６重量パーセントの３，３，４，４，５，５，６，６，６−ノナフルオロ−１−ヘキセンおよび４８．４重量パーセントの４−ブロモ−３，３，４，４−テトラフルオロブテン、
約４９．８℃の温度で約１４．７ｐｓｉａ（１０１ｋＰａ）の蒸気圧を有する５７．７重量パーセントの３，３，４，４，５，５，６，６，６−ノナフルオロ−１−ヘキセンおよび４２．３重量パーセントの１−ブロモ−３，３，４，４，４−ペンタフルオロブテン、
約５６．９℃の温度で約１４．７ｐｓｉａ（１０１ｋＰａ）の蒸気圧を有する５５．３重量パーセントの３，３，４，４，５，５，６，６，６−ノナフルオロ−１−ヘキセンおよび４４．７重量パーセントの２−ブロモ−３，３，４，４，４−ペンタフルオロブテン、
約４１．５℃の温度で約１４．７ｐｓｉａ（１０１ｋＰａ）の蒸気圧を有する７６．０重量パーセントの３，３，４，４，５，５，６，６，６−ノナフルオロ−１−ヘキセンおよび２４．０重量パーセントのアセトン、
約４４．２℃の温度で約１４．７ｐｓｉａ（１０１ｋＰａ）の蒸気圧を有する９１．９重量パーセントの３，３，４，４，５，５，６，６，６−ノナフルオロ−１−ヘキセンおよび８．１重量パーセントのメタノール、
約４９．４℃の温度で約１４．７ｐｓｉａ（１０１ｋＰａ）の蒸気圧を有する９３．２重量パーセントの３，３，４，４，５，５，６，６，６−ノナフルオロ−１−ヘキセンおよび６．８重量パーセントのエタノール、
約５４．２℃の温度で約１４．７ｐｓｉａ（１０１ｋＰａ）の蒸気圧を有する９５．９重量パーセントの３，３，４，４，５，５，６，６，６−ノナフルオロ−１−ヘキセンおよび４．１重量パーセントのｎ−プロパノール、
約５０．９℃の温度で約１４．７ｐｓｉａ（１０１ｋＰａ）の蒸気圧を有する９２．７重量パーセントの３，３，４，４，５，５，６，６，６−ノナフルオロ−１−ヘキセンおよび７．３重量パーセントのイソプロパノール、
約４８．６℃の温度で約１４．７ｐｓｉａ（１０１ｋＰａ）の蒸気圧を有する８４．７重量パーセントの３，３，４，４，５，５，６，６，６−ノナフルオロ−１−ヘキセンおよび１５．３重量パーセントの２，２，２−トリフルオロエタノール、
約５１．２℃の温度で約１４．７ｐｓｉａ（１０１ｋＰａ）の蒸気圧を有する８２．５重量パーセントの３，３，４，４，５，５，６，６，６−ノナフルオロ−１−ヘキセンおよび１７．５重量パーセントの２，２，３，３，３−ペンタフルオロプロパノール、
約５７．１℃の温度で約１４．７ｐｓｉａ（１０１ｋＰａ）の蒸気圧を有する９３．３重量パーセントの３，３，４，４，５，５，６，６，６−ノナフルオロ−１−ヘキセンおよび６．７重量パーセントの２，２，３，３−テトラフルオロプロパノール、
約４８．８℃の温度で約１４．７ｐｓｉａ（１０１ｋＰａ）の蒸気圧を有する５５．９重量パーセントの３，３，４，４，５，５，６，６，６−ノナフルオロ−１−ヘキセンおよび４４．１重量パーセントのヘキサフルオロイソプロパノール、
約４４．５℃の温度で約１４．７ｐｓｉａ（１０１ｋＰａ）の蒸気圧を有する６３．９重量パーセントの３，３，４，４，５，５，６，６，６−ノナフルオロ−１−ヘキセンおよび３６．１重量パーセントの１，１−ジクロロエタン、
約５０．４℃の温度で約１４．７ｐｓｉａ（１０１ｋＰａ）の蒸気圧を有する６６．１重量パーセントの３，３，４，４，５，５，６，６，６−ノナフルオロ−１−ヘキセンおよび３３．９重量パーセントのシス−１，２−ジクロロエチレン、
約４１．３℃の温度で約１４．７ｐｓｉａ（１０１ｋＰａ）の蒸気圧を有する５２．８重量パーセントの３，３，４，４，５，５，６，６，６−ノナフルオロ−１−ヘキセンおよび４７．２重量パーセントのトランス−１，２−ジクロロエチレン、
約５８．１℃の温度で約１４．７ｐｓｉａ（１０１ｋＰａ）の蒸気圧を有する９２．７重量パーセントの３，３，４，４，５，５，６，６，６−ノナフルオロ−１−ヘキセンおよび７．３重量パーセントの１，２−ジメトキシエタン、
約４０．６℃の温度で約１４．７ｐｓｉａ（１０１ｋＰａ）の蒸気圧を有する５３．７重量パーセントの３，３，４，４，５，５，６，６，６−ノナフルオロ−１−ヘキセンおよび４６．３重量パーセントのジメトキシメタン、
約５７．２℃の温度で約１４．７ｐｓｉａ（１０１ｋＰａ）の蒸気圧を有する６９．５重量パーセントの３，３，４，４，５，５，６，６，６−ノナフルオロ−１−ヘキセンおよび３０．５重量パーセントのメチル第三級ブチルエーテル、
約４１．９℃の温度で約１４．７ｐｓｉａ（１０１ｋＰａ）の蒸気圧を有する７２．４重量パーセントの３，３，４，４，５，５，６，６，６−ノナフルオロ−１−ヘキセンおよび２７．６重量パーセントの酢酸メチル、
約２６．０℃の温度で約１４．７ｐｓｉａ（１０１ｋＰａ）の蒸気圧を有する５７．２重量パーセントの３，３，４，４，５，５，６，６，６−ノナフルオロ−１−ヘキセンおよび４２．８重量パーセントのギ酸メチル、
約５６．８℃の温度で約１４．７ｐｓｉａ（１０１ｋＰａ）の蒸気圧を有する８７．３重量パーセントの３，３，４，４，５，５，６，６，６−ノナフルオロ−１−ヘキセンおよび１２．７重量パーセントの酢酸エチル、
約４０．４℃の温度で約１４．７ｐｓｉａ（１０１ｋＰａ）の蒸気圧を有する６８．８重量パーセントの３，３，４，４，５，５，６，６，６−ノナフルオロ−１−ヘキセンおよび３１．２重量パーセントのギ酸エチル、ならびに
約４６．８℃の温度で約１４．７ｐｓｉａ（１０１ｋＰａ）の蒸気圧を有する４４．２重量パーセントの３，３，４，４，５，５，６，６，６−ノナフルオロ−１−ヘキセンおよび５５．８重量パーセントのＮ−（ジフルオロメチル）−Ｎ，Ｎ−ジメチルアミン
からなる群から選択される共沸組成物であることを特徴とする請求項１に記載の冷媒または伝熱流体組成物。
【請求項６】
冷却される本体の近傍で請求項１に記載の冷媒または伝熱流体組成物を蒸発させる工程と、その後前記組成物を凝縮させる工程とを含むことを特徴とする冷却をもたらすための方法。
【請求項７】
加熱される本体の近傍で請求項１に記載の冷媒または伝熱流体組成物を凝縮させる工程と、その後前記組成物を蒸発させる工程とを含むことを特徴とする熱をもたらすための方法。
【請求項８】
請求項１に記載の組成物を熱源からヒートシンクへ移す工程を含むことを特徴とする伝熱方法。
【請求項９】
鉱油、パラフィン、ナフテン、合成パラフィン、アルキルベンゼン、ポリ−α−オレフィン、ポリアルキレングリコール、ポリビニルエーテル、ポリオールエステルおよびそれらの混合物からなる群から選択される潤滑油をさらに含むことを特徴とする請求項１に記載の組成物。
【請求項１０】
ナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択される少なくとも１種の紫外線蛍光染料をさらに含むことを特徴とする請求項１に記載の組成物。
【請求項１１】
炭化水素、ジメチルエーテル、ポリオキシアルキレングリコールエーテル、アミド、ケトン、ニトリル、クロロカーボン、エステル、ラクトン、アリールエーテル、ハイドロフロオロエーテル、および１，１，１−トリフルオロアルカンからなる群から選択される少なくとも１種の可溶化剤をさらに含み、そして前記冷媒および可溶化剤が同じ化合物ではないことを特徴とする請求項１０に記載の組成物。
【請求項１２】
前記可溶化剤が、
ａ）ｘが１〜３の整数であり、ｙが１〜４の整数であり、Ｒ１が水素ならびに１〜６個の炭素原子およびｙ個の結合部位を有する脂肪族炭化水素基から選択され、Ｒ２が２〜４個の炭素原子を有する脂肪族ヒドロカルビレン基から選択され、Ｒ３が水素、ならびに１〜６個の炭素原子を有する脂肪族および脂環式炭化水素基から選択され、Ｒ１およびＲ３の少なくとも１つが前記炭化水素基から選択される、式Ｒ１［（ＯＲ２）ｘＯＲ３］ｙで表されるポリオキシアルキレングリコールエーテルであって、約１００〜約３００原子質量単位の分子量を有するポリオキシアルキレングリコールエーテル、
ｂ）Ｒ１、Ｒ２、Ｒ３およびＲ５が独立して１〜１２個の炭素原子を有する脂肪族および脂環式炭化水素基、ならびに６〜１２個の炭素原子を有する多くても１つの芳香族基から選択され、Ｒ４が３〜１２個の炭素原子を有する脂肪族ヒドロカルビレン基から選択される、式Ｒ１Ｃ（Ｏ）ＮＲ２Ｒ３およびシクロ−［Ｒ４ＣＯＮ（Ｒ５）−］で表されるアミドであって、約１００〜約３００原子質量単位の分子量を有するアミド、
ｃ）Ｒ１およびＲ２が独立して１〜１２個の炭素原子を有する脂肪族、脂環式およびアリール炭化水素基から選択される、式Ｒ１Ｃ（Ｏ）Ｒ２で表されるケトンであって、約７０〜約３００原子質量単位の分子量を有するケトン、
ｄ）Ｒ１が５〜１２個の炭素原子を有する脂肪族、脂環式またはアリール炭化水素基から選択される、式Ｒ１ＣＮで表されるニトリルであって、約９０〜約２００原子質量単位の分子量を有するニトリル、
ｅ）ｘが１または２であり、Ｒが１〜１２個の炭素原子を有する脂肪族および脂環式炭化水素基から選択される、式ＲＣｌｘで表されるクロロカーボンであって、約１００〜約２００原子質量単位の分子量を有するクロロカーボン、
ｆ）Ｒ１が６〜１２個の炭素原子を有するアリール炭化水素基から選択され、Ｒ２が１〜４個の炭素原子を有する脂肪族炭化水素基から選択される、式Ｒ１ＯＲ２で表されるアリールエーテルであって、約１００〜約１５０原子質量単位の分子量を有するアリールエーテル、
ｇ）Ｒ１が約５〜約１５個の炭素原子を有する脂肪族および脂環式炭化水素基から選択される、式ＣＦ３Ｒ１で表される１，１，１−トリフルオロアルカン、
ｈ）Ｒ１が約５〜約１５個の炭素原子を有する脂肪族および脂環式炭化水素基から選択される、式Ｒ１ＯＣＦ２ＣＦ２Ｈで表されるフルオロエーテルであって、または前記フルオロエーテルがフルオロオレフィンとポリオールとから誘導され、ここで、前記フルオロオレフィンがタイプＣＦ２＝ＣＸＹ（式中、Ｘは水素、塩素またはフッ素であり、そしてＹは塩素、フッ素、ＣＦ３またはＯＲｆであり、ここで、ＲｆがＣＦ３、Ｃ２Ｆ５、もしくはＣ３Ｆ７である）のものであり、そして前記ポリオールが線状または分岐であり、ここで、前記線状ポリオールがタイプＨＯＣＨ２（ＣＨＯＨ）ｘ（ＣＲＲ’）ｙＣＨ２ＯＨ（式中、ＲおよびＲ’は水素、ＣＨ３またはＣ２Ｈ５であり、ｘは０〜４の整数であり、ｙは０〜３の整数であり、そしてｚはゼロか１かのどちらかである）のものであり、そして前記分岐ポリオールがタイプＣ（ＯＨ）ｔ（Ｒ）ｕ（ＣＨ２ＯＨ）ｖ［（ＣＨ２）ｍＣＨ２ＯＨ］ｗ（式中、Ｒは水素、ＣＨ３またはＣ２Ｈ５であってもよく、ｍは０〜３の整数であり、ｔおよびｕは０または１であり、ｖおよびｗは０〜４の整数であり、そしてまたここで、ｔ＋ｕ＋ｖ＋ｗ＝４である）のものであるフルオロエーテル、
ｉ）Ｒ１〜Ｒ８が独立して水素、線状、分岐、環式、二環式の、飽和および不飽和のヒドロカルビル基から選択される、構造［Ｂ］、［Ｃ］、および［Ｄ］
【化１】
2008545837.tif 000030
で表され、そして分子量が約１００〜約３００原子質量単位であるラクトン、ならびに
ｊ）Ｒ１およびＲ２が独立して線状および環式の、飽和および不飽和の、アルキルおよびアリール基から選択される、一般式Ｒ１ＣＯ２Ｒ２で表されるエステルであって、約８０〜約５５０原子質量単位の分子量を有するエステル
からなる群から選択されることを特徴とする請求項１１に記載の組成物。
【請求項１３】
圧縮冷凍装置またはエアコン装置で請求項１０に記載の組成物を検出するための方法であって、前記組成物を前記装置に提供する工程と、漏出ポイントでまたは前記装置の近傍で前記組成物を検出するための好適な手段を提供する工程とを含むことを特徴とする方法。
【請求項１４】
前記冷媒または伝熱組成物がナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択される少なくとも１種の紫外線蛍光染料をさらに含むことを特徴とする請求項６に記載の冷却をもたらす方法。
【請求項１５】
前記冷媒または伝熱組成物がナフタルイミド、ペリレン、クマリン、アントラセン、フェナントレン、キサンテン、チオキサンテン、ナフトキサンテン、フルオレセイン、前記染料の誘導体およびそれらの組み合わせからなる群から選択される少なくとも１種の紫外線蛍光染料をさらに含むことを特徴とする請求項７に記載の熱をもたらす方法。
【請求項１６】
安定剤、水捕捉剤、または臭気マスキング剤をさらに含むことを特徴とする請求項１に記載の組成物。
【請求項１７】
前記安定剤が、ニトロメタン、ヒンダードフェノール、ヒドロキシルアミン、チオール、ホスファイトおよびラクトンからなる群から選択されることを特徴とする請求項１６に記載の組成物。
【請求項１８】
多段遠心圧縮機を用いる冷凍装置またはエアコン装置で冷却をもたらす工程を含むことを特徴とする請求項６に記載の方法。
【請求項１９】
前記多段遠心圧縮機が２段遠心圧縮機であることを特徴とする請求項１８に記載の方法。
【請求項２０】
多段遠心圧縮機を用いる冷凍装置で熱をもたらす工程を含むことを特徴とする請求項７に記載の方法。
【請求項２１】
前記多段遠心圧縮機が２段遠心圧縮機であることを特徴とする請求項２０に記載の方法。
【請求項２２】
前記水捕捉剤がオルトエステルであることを特徴とする請求項１６に記載の組成物。
【請求項２３】
エンジン排出ガス駆動タービンによって作動するミニ遠心圧縮機を用いる冷凍装置またはエアコン装置で冷却をもたらす工程を含むことを特徴とする請求項６に記載の方法。
【請求項２４】
レシオベルト駆動のレシオギア駆動アセンブリによって作動するミニ遠心圧縮機を用いる冷凍装置またはエアコン装置で冷却をもたらす工程を含むことを特徴とする請求項６に記載の方法。
【請求項２５】
請求項１に記載の組成物を含有することを特徴とする冷凍装置、エアコン装置、またはヒートポンプ装置。
【請求項２６】
前記装置が多段遠心圧縮機を用いることを特徴とする請求項２５に記載の装置。
【請求項２７】
前記多段遠心圧縮機が２段遠心圧縮機であることを特徴とする請求項２６に記載の装置。
【請求項２８】
（ａ）表面を、パーフルオロブチルエチレン（３，３，４，４，５，５，６，６，６−ノナフルオロ−１−ヘキセン（ＰＦＢＥ））と、
４−ブロモ−３，３，４，４−テトラフルオロブテン、
２−ブロモ−１，１，１，３，４，４，４−ヘプタフルオロブテン、
３−ブロモ−１，１，１，２，４，４，５，５，５−ノナフルオロブテン、
１−ブロモ−３，３，４，４，４−ペンタフルオロブテン、
２−ブロモ−３，３，４，４，４−ペンタフルオロブテン、
アセトン、
２−クロロ−１，１，１，４，４，５，５，５−オクタフルオロ−２−（トリフルオロメチル）−３−ペンタノン、
１，１，１，２，２，５，５，５−オクタフルオロ−４−（トリフルオロメチル）−３−ペンタノン、
メタノール、
エタノール、
ｎ−プロパノール、
イソプロパノール、
２，２，２−トリフルオロエタノール、
２，２，３，３，３−ペンタフルオロプロパノール、
２，２，３，３−テトラフルオロプロパノール、
ヘキサフルオロイソプロパノール、
１，１−ジクロロエタン、
シス−１，２−ジクロロエチレン、
トランス−１，２−ジクロロエチレン、
ジイソプロピルエーテル、
１，２−ジメトキシエタン、
ジメトキシメタン、
メチル第三級ブチルエーテル、
酢酸メチル、
ギ酸メチル、
酢酸エチル、
ギ酸エチル、
４−クロロ−１，１，２，３，３，４−ヘキサフルオロブテン、および
Ｎ−（ジフルオロメチル）−Ｎ，Ｎ−ジメチルアミン
からなる群から選択される少なくとも１種のハイドロフルオロカーボンとを含む共沸または共沸様組成物と接触させる工程と、
（ｂ）前記表面を組成物から回収する工程と
を含むことを特徴とする表面からの残渣の除去方法。
【請求項２９】
前記残渣が油を含むことを特徴とする請求項２８に記載の方法。
【請求項３０】
前記残渣がロジン・フラックスを含むことを特徴とする請求項２８に記載の方法。
【請求項３１】
前記表面が集積回路デバイスであることを特徴とする請求項２８に記載の方法。
【発明の詳細な説明】
【技術分野】
【０００１】
本発明は、遠心圧縮機を用いる冷凍システムおよびエアコンシステムをはじめとする、伝熱、冷凍システムおよびエアコンシステムでの使用のための３，３，４，４，５，５，６，６，６−ノナフルオロ−１−ヘキセン（ＰＦＢＥ）とブロモフルオロカーボン、ケトン、アルコール、クロロカーボン、エーテル、エステル、４−クロロ−１，１，２，３，３，４−ヘキサフルオロブテン，Ｎ−（ジフルオロメチル）−Ｎ，Ｎ−ジメチルアミン、またはそれらの混合物からなる群から選択される少なくとも１種の化合物とを含む組成物に関する。本発明の組成物は共沸かまたは擬共沸であってもよい。これらの組成物はまた、脱フラックス剤としておよび表面から油または残渣を除去するためのクリーニング用途でも有用である。
【０００２】
（関連出願の相互参照）
本願は２００５年５月２７日出願の米国仮特許出願第６０／６８５，２８８号明細書の優先権を主張するものである。
【背景技術】
【０００３】
冷凍業界は、モントリオール議定書（Ｍｏｎｔｒｅａｌ  Ｐｒｏｔｏｃｏｌ）の結果として段階的に廃止されつつあるオゾン破壊クロロフルオロカーボン（ＣＦＣ）およびハイドロクロロフルオロカーボン（ＨＣＦＣ）の代替冷媒を見いだすために過去数十年の間取り組んできた。ほとんどの冷媒製造業者にとっての解決策は、ハイドロフルオロカーボン（ＨＦＣ）冷媒の商業化であった。現時点で最も広く使用されつつある新たなＨＦＣ冷媒、ＨＦＣ−１３４ａはゼロのオゾン破壊係数を有し、従ってモントリオール議定書の結果としての現行規制上の段階的廃止による影響を受けない。
【０００４】
さらに、環境規制は最終的には、ある種のＨＦＣ冷媒のグローバルな段階的廃止をもたらすかもしれない。現在、自動車業界は、移動式エアコンに使用される冷媒に対する地球温暖化係数（ＧＷＰ）にかかわる規制に直面している。それ故、現在、自動車エアコン市場向けに減少したＧＷＰの新たな冷媒を特定する大きなニーズがある。規制が将来より広く適用されれば、冷凍およびエアコン業界のすべての分野に使用することができる低ＧＷＰ冷媒に対してさらにより大きいニーズが感じられるであろう。
【０００５】
現在提案されているＨＦＣ−１３４ａの代替冷媒には、ＨＦＣ−１５２ａ、ブタンもしくはプロパンなどの純炭化水素、またはＣＯ２もしくはアンモニアなどの「天然」冷媒が含まれる。これらの提案された代替品の多くは有毒であり、引火性であり、および／または低いエネルギー効率を有する。それ故、新たな代替品が求められ続けている。
【０００６】
【特許文献１】米国特許出願第１０／９１０，４９５号明細書
【特許文献２】再発行米国特許第Ｒｅ３６，９５１号明細書
【特許文献３】米国特許第５，０６５，９９０号明細書
【特許文献４】米国特許出願第１１／３６７，５１７号明細書
【特許文献５】米国特許出願第１１／３７８，８３２号明細書
【非特許文献１】１９９０年アシュラエ・ハンドブック、冷凍システムおよび適用（１９９０  ＡＳＨＲＡＥ  Ｈａｎｄｂｏｏｋ，Ｒｅｆｒｉｇｅｒａｔｉｏｎ  Ｓｙｓｔｅｍｓ  ａｎｄ  Ａｐｐｌｉｃａｔｉｏｎｓ）、第８章、表題「冷凍システムでの潤滑油（Ｌｕｂｒｉｃａｎｔｓ  ｉｎ  Ｒｅｆｒｉｇｅｒａｔｉｏｎ  Ｓｙｓｔｅｍｓ）」、８．１−８．２１ページ
【非特許文献２】Ｒ．Ｌ．シュブキン（Ｒ．Ｌ．Ｓｈｕｂｋｉｎ）編、「合成潤滑油および高性能流体（Ｓｙｎｔｈｅｔｉｃ  Ｌｕｂｒｉｃａｎｔｓ  ａｎｄ  Ｈｉｇｈ−Ｐｅｒｆｏｒｍａｎｃｅ  Ｆｌｕｉｄｓ）」、マーセル・デッカー（Ｍａｒｃｅｌ  Ｄｅｋｋｅｒ）社、１９９３年
【発明の開示】
【発明が解決しようとする課題】
【０００７】
本発明は、低いまたはゼロのオゾン破壊係数およびより低いＧＷＰの要求を満たすために独特の特性を有する冷媒組成物および伝熱流体を提供する。
【０００８】
本発明はまた、半導体チップおよび回路基板クリーニング、脱フラックス、および脱脂プロセスで有用な共沸および共沸様組成物を提供する。本組成物は非引火性であり、そしてそれらが使用中に分別蒸留しないので、それらは使用中に引火性組成物を生み出さないであろう。さらに、使用された共沸溶媒混合物は、組成変化なしに再蒸留および再使用されてもよい。
【課題を解決するための手段】
【０００９】
一実施形態では、本発明は、３，３，４，４，５，５，６，６，６−ノナフルオロ−１−ヘキセン（ＰＦＢＥ）と、
４−ブロモ−３，３，４，４−テトラフルオロブテン、
２−ブロモ−１，１，１，３，４，４，４−ヘプタフルオロブテン、
３−ブロモ−１，１，１，２，４，４，５，５，５−ノナフルオロブテン、
１−ブロモ−３，３，４，４，４−ペンタフルオロブテン、
２−ブロモ−３，３，４，４，４−ペンタフルオロブテン、
アセトン、
２−クロロ−１，１，１，４，４，５，５，５−オクタフルオロ−２−（トリフルオロメチル）−３−ペンタノン、
１，１，１，２，２，５，５，５−オクタフルオロ−４−（トリフルオロメチル）−３−ペンタノン、
メタノール、
エタノール、
ｎ−プロパノール、
イソプロパノール、
２，２，２−トリフルオロエタノール、
２，２，３，３，３−ペンタフルオロプロパノール、
２，２，３，３−テトラフルオロプロパノール、
ヘキサフルオロイソプロパノール、
１，１−ジクロロエタン、
シス−１，２−ジクロロエチレン、
トランス−１，２−ジクロロエチレン、
ジイソプロピルエーテル、
１，２−ジメトキシエタン、
ジメトキシメタン、
メチル第三級ブチルエーテル、
酢酸メチル、
ギ酸メチル、
酢酸エチル、
ギ酸エチル、
４−クロロ−１，１，２，３，３，４−ヘキサフルオロブテン、および
Ｎ−（ジフルオロメチル）−Ｎ，Ｎ−ジメチルアミン
からなる群から選択される少なくとも１種の化合物とを含む冷媒または伝熱流体組成物に関する。
【００１０】
別の実施形態では、本発明は、特に遠心圧縮機を用いる冷凍またはエアコンシステムでの使用のための上に挙げた組成物に関する。
【００１１】
さらに別の実施形態では、本発明は、特に２段遠心圧縮機を用いる冷凍またはエアコンシステムでの使用のための上に挙げた組成物に関する。
【００１２】
さらに別の実施形態では、本発明は、特にワンパス／シングルスラブ熱交換器を用いる冷凍またはエアコンシステムでの使用のための上に挙げた組成物に関する。
【００１３】
さらに別の実施形態では、本発明は、伝熱、冷凍またはエアコンシステムで有用である共沸または擬共沸組成物に関する。本組成物はまた、遠心圧縮機を用いる冷凍またはエアコンシステムでも有用である。
【００１４】
さらに別の実施形態では、本発明は、漏出検出用の紫外線蛍光染料を含有する冷媒または伝熱流体組成物に関する。
【００１５】
さらに別の実施形態では、本発明は、本発明の組成物を使用する冷却、熱、および熱源からヒートシンクへの熱の移動をもたらすための方法に関する。
【００１６】
さらに別の実施形態では、本発明は、表面をきれいにするための、および集積回路デバイスなどの、表面から残渣を除去するための方法に関する。
【発明を実施するための最良の形態】
【００１７】
本願特許出願人らは、すべての引用された参考文献の全内容を本開示に具体的に援用する。さらに、量、濃度、または他の値もしくはパラメーターが範囲、好ましい範囲か、好ましい上限値および好ましい下限値のリストかのどちらかとして与えられるとき、これは、範囲が別々に開示されるかどうかにかかわらず、任意の範囲上限または好ましい値および任意の範囲下限または好ましい値の任意のペアから形成されるすべての範囲を具体的に開示するものとして理解されるべきである。数値の範囲が本明細書に列挙される場合、特に明記しない限り、該範囲はその終点、および該範囲内のすべての整数および分数を含むことを意図される。本発明の範囲がある範囲を定義するとき列挙される具体的な値に限定されることは意図されない。
【００１８】
本発明の冷媒または伝熱流体組成物は、３，３，４，４，５，５，６，６，６−ノナフルオロ−１−ヘキセン（ＰＦＢＥ）とブロモフルオロカーボン、ケトン、アルコール、クロロカーボン、エーテル、エステル、４−クロロ−１，１，２，３，３，４−ヘキサフルオロブテン，Ｎ−（ジフルオロメチル）−Ｎ，Ｎ−ジメチルアミン、またはそれらの混合物から選択される少なくとも１種の化合物とを含む。
【００１９】
ＰＦＢＥはＣＡＳ登録番号［１９４３０−９３−４］のハイドロフルオロカーボン化合物である。それは本願特許出願人から商業的に入手可能である。
【００２０】
本発明の組成物の成分であってもよい代表的な化合物は表１に挙げられる。
【００２１】
【表１】
2008545837.tif 000002
【００２２】
【表２】
2008545837.tif 000003
【００２３】
１−ブロモ−３，３，４，４，４−ペンタフルオロブテンは、商業的に入手可能であるＣＦ３ＣＦ２Ｉから出発して合成することができる。ＣＦ３ＣＦ２Ｉは、ハステロイ（Ｈａｓｔｅｌｌｏｙ）Ｃオートクレーブ中自己圧力下に約１００℃でエチレンと反応させてＣＦ３ＣＦ２ＣＨ２ＣＨ２Ｉを与えることができ、それは相間移動触媒としてイソプロパノールを使用して、水性ＫＯＨで約５５℃で脱ヨウ化水素化してＣＦ３ＣＦ２ＣＨ＝ＣＨ２を与えることができる。ＣＦ３ＣＦ２ＣＨ＝ＣＨ２は、光の存在下に約１００℃で臭素化してＣＦ３ＣＦ２ＣＨＣＨＢｒ２を与えることができる。ＣＦ３ＣＦ２ＣＨＣＨＢｒ２は室温で水性ＫＯＨの存在下に、または同様に室温でＫＯＨペレットで脱臭化水素してＣＦ３ＣＦ２ＣＨ＝ＣＨＢｒを与えることができる。
【００２４】
表１に挙げた他の化合物は、当業者によって容易に製造され、そして多くの化学薬品卸売業者から入手可能である。
【００２５】
本発明の組成物は、所望量の個々の成分を組み合わせるための任意の便利な方法によって調製されてもよい。好ましい方法は、所望の成分量を秤量し、その後適切な容器で成分を組み合わせることである。必要に応じて攪拌が用いられてもよい。
【００２６】
本発明の冷媒または伝熱流体組成物は、
４−ブロモ−３，３，４，４−テトラフルオロブテン、
２−ブロモ−１，１，１，３，４，４，４−ヘプタフルオロブテン、
３−ブロモ−１，１，１，２，４，４，５，５，５−ノナフルオロブテン、
１−ブロモ−３，３，４，４，４−ペンタフルオロブテン、
２−ブロモ−３，３，４，４，４−ペンタフルオロブテン、
アセトン、
２−クロロ−１，１，１，４，４，５，５，５−オクタフルオロ−２−（トリフルオロメチル）−３−ペンタノン、
１，１，１，２，２，５，５，５−オクタフルオロ−４−（トリフルオロメチル）−３−ペンタノン、
メタノール、
エタノール、
ｎ−プロパノール、
イソプロパノール、
２，２，２−トリフルオロエタノール、
２，２，３，３，３−ペンタフルオロプロパノール、
２，２，３，３−テトラフルオロプロパノール、
ヘキサフルオロイソプロパノール、
１，１−ジクロロエタン、
シス−１，２−ジクロロエチレン、
トランス−１，２−ジクロロエチレン、
ジイソプロピルエーテル、
１，２−ジメトキシエタン、
ジメトキシメタン、
メチル第三級ブチルエーテル、
酢酸メチル、
ギ酸メチル、
酢酸エチル、
ギ酸エチル、
４−クロロ−１，１，２，３，３，４−ヘキサフルオロブテン、および
Ｎ−（ジフルオロメチル）−Ｎ，Ｎ−ジメチルアミン、
からなる群から選択される少なくとも１種の化合物と共にＰＦＢＥを含む。
【００２７】
本発明の冷媒または伝熱流体組成物は共沸または擬共沸組成物であってもよい。共沸組成物とは、単一物質として挙動する２種以上の物質の定沸点混合物を意味する。共沸組成物を特徴づける一方法は、液体の部分蒸発または蒸留によって生み出された蒸気が、蒸発するかまたは蒸留される液体と同じ組成を有する、すなわち、混合物が組成変化なしに蒸留される／還流することである。定沸点組成物は、同じ成分の非共沸混合物のそれと比べて、それらが最高沸点か最低沸点かのどちらかを示すので、共沸として特徴づけられる。共沸組成物は運転中に冷凍またはエアコンシステム内で分別蒸留されず、こうして、システムの効率を維持するであろう。さらに、共沸組成物は冷凍またはエアコンシステムからの漏出時に分別蒸留されないであろう。混合物の１成分が引火性である状況では、漏出中の分別蒸留は、システム内かシステム外かのどちらかで引火性組成物につながり得るであろう。
【００２８】
時々「共沸様組成物」とも呼ばれる、擬共沸組成物は、本質的に単一物質として挙動する２種以上の物質の実質的に定沸点の液体混合物である。擬共沸組成物を特徴づける一方法は、液体の部分蒸発または蒸留によって生み出された蒸気が、蒸発したかまたは蒸留された液体と実質的に同じ組成を有する、すなわち、混合物が実質的な組成変化なしに蒸留される／還流することである。擬共沸組成物を特徴づける別の方法は、ある特定の温度での組成物の沸点蒸気圧および露点蒸気圧が実質的に同じものであることである。本明細書では、組成物の５０重量パーセントが蒸発またはボイルオフなどによって除去された後に、元の組成物と元の組成物の５０重量パーセントが除去された後に残る組成物との間の蒸気圧の差が約１０パーセント未満である場合に組成物は擬共沸である。
【００２９】
本発明の共沸ＰＦＢＥ冷媒または伝熱流体組成物は表２に挙げられる。
【００３０】
【表３】
2008545837.tif 000004
【００３１】
【表４】
2008545837.tif 000005
【００３２】
本発明の擬共沸冷媒および伝熱流体組成物ならびに濃度範囲は表３に挙げられる。
【００３３】
【表５】
2008545837.tif 000006
【００３４】
【表６】
2008545837.tif 000007
【００３５】
本発明の別の実施形態では、低下した引火性を有する本発明の擬共沸冷媒および伝熱組成物ならびに濃度範囲は表４に挙げられる。
【００３６】
【表７】
2008545837.tif 000008
【００３７】
【表８】
2008545837.tif 000009
【００３８】
本発明の組成物は潤滑油をさらに含んでもよい。
【００３９】
本発明の潤滑油は冷凍潤滑油、すなわち、冷凍装置、エアコン装置、またはヒートポンプ装置での使用に好適なそれらの潤滑油を含む。これらの潤滑油の中には、クロロフルオロカーボン冷媒を利用する圧縮冷凍装置に通常使用されるものがある。かかる潤滑油およびそれらの特性は（非特許文献１）に説明されている。本発明の潤滑油は、圧縮冷凍潤滑油の分野で「鉱油」として一般に知られるものを含んでもよい。鉱油はパラフィン（すなわち、直鎖および分岐炭素鎖、飽和炭化水素）、ナフテン（すなわち、環式パラフィン）ならびに芳香族化合物（すなわち、交互二重結合によって特徴づけられる１つまたは複数の環を含有する不飽和の環式炭化水素）を含む。本発明の潤滑油は、圧縮冷凍潤滑の分野で「合成油」として一般に知られるものをさらに含む。合成油はアルキルアリール（すなわち線状および分岐アルキルのアルキルベンゼン）、合成パラフィンおよびナフテン、ならびにポリ（α−オレフィン）を含む。本発明の代表的な通常の潤滑油は、商業的に入手可能なＢＶＭ１００Ｎ（ＢＶＡオイルズ（ＢＶＡ  Ｏｉｌｓ）によって販売されるパラフィン系鉱油）、スニソ（Ｓｕｎｉｓｏ）（登録商標）３ＧＳおよびスニソ（登録商標）５ＧＳ（クロンプトン社（Ｃｒｏｍｐｔｏｎ  Ｃｏ．）によって販売されるナフテン系鉱油、ソンテックス（Ｓｏｎｔｅｘ）（登録商標）３７２ＬＴ（ペンズオイル（Ｐｅｎｎｚｏｉｌ）によって販売されるナフテン系鉱油）、カルメット（Ｃａｌｕｍｅｔ）（登録商標）ＲＯ−３０（カルメット・リューブリカンツ（Ｃａｌｕｍｅｔ  Ｌｕｂｒｉｃａｎｔｓ）によって販売されるナフテン系鉱油）、ゼロール（Ｚｅｒｏｌ）（登録商標）７５、ゼロール（登録商標）１５０およびゼロール（登録商標）５００（シュリーブ・ケミカルズ（Ｓｈｒｉｅｖｅ  Ｃｈｅｍｉｃａｌｓ）によって販売される線状アルキルベンゼン）ならびにハブ（ＨＡＢ）２２（新日本石油株式会社によって販売される分岐アルキルベンゼン）である。
【００４０】
本発明の潤滑油はハイドロフルオロカーボン冷媒と一緒の使用をデザインされたものをさらに含み、圧縮冷凍装置、エアコン装置、またはヒートポンプ装置運転条件下で本発明の冷媒と混和性である。かかる潤滑油およびそれらの特性は（非特許文献２）に説明されている。かかる潤滑油には、キャストロール（Ｃａｓｔｒｏｌ）（登録商標）１００（キャストロール、英国（Ｃａｓｔｒｏｌ，Ｕｎｉｔｅｄ  Ｋｉｎｇｄｏｍ））などのポリオールエステル（ＰＯＥ）、ダウ（Ｄｏｗ）（ダウ・ケミカル、ミシガン州ミッドランド（Ｄｏｗ  Ｃｈｅｍｉｃａｌ，Ｍｉｄｌａｎｄ，Ｍｉｃｈｉｇａｎ））製のＲＬ−４８８Ａなどのポリアルキレングリコール（ＰＡＧ）、ならびにポリビニルエーテル（ＰＶＥ）が含まれるが、それらに限定されない。これらの潤滑油は様々な商業的供給業者から容易に入手可能である。
【００４１】
本発明の潤滑油は、所与の圧縮機の要件および潤滑油が曝されるであろう環境を考慮することによって選択される。本発明の潤滑油は好ましくは４０℃で少なくとも約５ｃｓ（センチストークス）の動粘度を有する。
【００４２】
本発明の組成物は、約０．０１重量パーセント〜約５重量パーセントの安定剤、フリーラジカル捕捉剤または酸化防止剤をさらに含んでもよい。かかる添加剤には、ニトロメタン、ヒンダードフェノール、ヒドロキシルアミン、チオール、ホスファイト、またはラクトンが含まれるが、それらに限定されない。単一の添加剤または組み合わせが使用されてもよい。
【００４３】
本発明の組成物は、約０．０１重量パーセント〜約５重量パーセントの水捕捉剤（乾燥化合物）をさらに含んでもよい。かかる水捕捉剤は、オルトギ酸トリメチル、トリエチル、またはトリプロピルなどのオルトエステルを含んでもよい。
【００４４】
本発明の組成物は、紫外線（ＵＶ）染料および場合により可溶化剤をさらに含んでもよい。ＵＶ染料は、冷凍装置またはエアコン装置の漏出ポイントでまたは該装置の近傍で冷媒または伝熱流体組成物中の染料の蛍光を観察するのを可能にすることによって冷媒および伝熱流体組成物の漏出を検出するための有用な成分である。紫外線下に染料の蛍光を観察してもよい。可溶化剤は、幾つかの冷媒および伝熱流体へのかかるＵＶ染料の溶解度を上げるために必要とされるかもしれない。
【００４５】
「紫外線」染料とは、電磁スペクトルの紫外または「近」紫外領域の光を吸収するＵＶ蛍光組成物を意味する。１０ナノメートル〜７５０ナノメートルの範囲にある波長の放射線を発するＵＶ線による照明下にＵＶ蛍光染料によって生み出される蛍光が検出されてもよい。それ故、かかるＵＶ蛍光染料を含有する冷媒または伝熱流体が冷凍装置またはエアコン装置の所与のポイントから漏出しつつある場合、蛍光を漏出ポイントで検出することができる。かかるＵＶ蛍光染料には、ナフタルイミド、ペリレン、クマリン、アントラセン、フェナントレン、キサンテン、チオキサンテン、ナフトキサンテン、フルオレセイン、およびそれらの誘導体または組み合わせが含まれるが、それらに限定されない。本発明の可溶化剤は、炭化水素、炭化水素エーテル、ポリオキシアルキレングリコールエーテル、アミド、ニトリル、ケトン、クロロカーボン、エステル、ラクトン、アリールエーテル、フルオロエーテルおよび１，１，１−トリフルオロアルカンからなる群から選択される少なくとも１種の化合物を含む。
【００４６】
本発明の炭化水素可溶化剤は、他の官能基を全く含まず１６個以下の炭素原子および水素だけを含有する直鎖、分岐鎖もしくは環式アルカンまたはアルケンをはじめとする炭化水素を含む。代表的な炭化水素可溶化剤はプロパン、プロピレン、シクロプロパン、ｎ−ブタン、イソブタン、ｎ−ペンタン、オクタン、デカン、およびヘキサデカンを含む。冷媒が炭化水素である場合、そのときには可溶化剤は同じ炭化水素であってはならないことが留意されるべきである。
【００４７】
本発明の炭化水素エーテル可溶化剤は、ジメチルエーテル（ＤＭＥ）などの、炭素、水素および酸素だけを含有するエーテルを含む。
【００４８】
本発明のポリオキシアルキレングリコールエーテル相溶化剤は、ｘが１〜３の整数であり、ｙが１〜４の整数であり、Ｒ１が水素ならびに１〜６個の炭素原子およびｙ個の結合部位を有する脂肪族炭化水素基から選択され、Ｒ２が２〜４個の炭素原子を有する脂肪族ヒドロカルビレン基から選択され、Ｒ３が水素ならびに１〜６個の炭素原子を有する脂肪族および脂環式炭化水素基から選択され、Ｒ１およびＲ３の少なくとも１つが前記炭化水素基から選択される、式Ｒ１［（ＯＲ２）ｘＯＲ３］ｙで表され、ここで、前記ポリオキシアルキレングリコールエーテルは約１００〜約３００原子質量単位の分子量を有する。本明細書で用いるところでは、結合部位は、他の基と共有結合を形成するために利用可能な基部位を意味する。ヒドロカルビレン基は二価の炭化水素基を意味する。
【００４９】
本発明では、好ましいポリオキシアルキレングリコールエーテル可溶化剤は、ｘが好ましくは１〜２であり、ｙが好ましくは１であり、Ｒ１およびＲ３が好ましくは独立して水素および１〜４個の炭素原子を有する脂肪族炭化水素基から選択され、Ｒ２が好ましくは２または３個の炭素原子、最も好ましくは３個の炭素原子を有する脂肪族ヒドロカルビレン基から選択される、Ｒ１［（ＯＲ２）ｘＯＲ３］ｙで表され、ポリオキシアルキレングリコールエーテル分子量は好ましくは約１００〜約２５０原子質量単位、最も好ましくは約１２５〜約２５０原子質量単位である。１〜６個の炭素原子を有するＲ１およびＲ３炭化水素基は線状、分岐または環式であってもよい。代表的なＲ１およびＲ３炭化水素基には、メチル、エチル、プロピル、イソプロピル、ブチル、イソブチル、第二級ブチル、第三級ブチル、ペンチル、イソペンチル，ネオペンチル、第三級ペンチル，シクロペンチル、およびシクロヘキシルが含まれる。本発明のポリオキシアルキレングリコールエーテル可溶化剤上の遊離のヒドロキシル基がある種の圧縮冷凍装置構築資材（例えばマイラー（Ｍｙｌａｒ）（登録商標））と適合しないかもしれない場合、Ｒ１およびＲ３は好ましくは１〜４個の炭素原子、最も好ましくは１個の炭素原子を有する脂肪族炭化水素基である。２〜４個の炭素原子を有するＲ２脂肪族ヒドロカルビレン基は、オキシエチレン基、オキシプロピレン基、およびオキシブチレン基を含む繰り返しオキシアルキレン基−（ＯＲ２）ｘ−を形成する。１つのポリオキシアルキレングリコールエーテル可溶化剤分子中にＲ２を含むオキシアルキレン基は同じものであってもよいし、または１つの分子は異なるＲ２オキシアルキレン基を含有してもよい。本発明のポリオキシアルキレングリコールエーテル可溶化剤は好ましくは少なくとも１つのオキシプロピレン基を含む。Ｒ１が１〜６個の炭素原子およびｙ個の結合部位を有する脂肪族または脂環式炭化水素基である場合、該基は線状、分岐または環式であってもよい。２個の結合部位を有する代表的なＲ１脂肪族炭化水素基には、例えば、エチレン基、プロピレン基、ブチレン基、ペンチレン基、ヘキシレン基、シクロペンチレン基およびシクロヘキシレン基が含まれる。３または４個の結合部位を有する代表的なＲ１脂肪族炭化水素基には、それらのヒドロキシル基を除去することによって、トリメチロールプロパン、グリセリン、ペンタエリスリトール、１，２，３−トリヒドロキシシクロヘキサンおよび１，３，５−トリヒドロキシシクロヘキサンなどの、ポリアルコールに由来する残基が含まれる。
【００５０】
代表的なポリオキシアルキレングリコールエーテル相溶化剤には、ＣＨ３ＯＣＨ２ＣＨ（ＣＨ３）Ｏ（ＨまたはＣＨ３）（プロピレングリコールメチル（またはジメチル）エーテル）、ＣＨ３Ｏ［ＣＨ２ＣＨ（ＣＨ３）Ｏ］２（ＨまたはＣＨ３）（ジプロピレングリコールメチル（またはジメチル）エーテル）、ＣＨ３Ｏ［ＣＨ２ＣＨ（ＣＨ３）Ｏ］３（ＨまたはＣＨ３）（トリプロピレングリコールメチル（またはジメチル）エーテル）、Ｃ２Ｈ５ＯＣＨ２ＣＨ（ＣＨ３）Ｏ（ＨまたはＣ２Ｈ５）（プロピレングリコールエチル（またはジエチル）エーテル）、Ｃ２Ｈ５Ｏ［ＣＨ２ＣＨ（ＣＨ３）Ｏ］２（ＨまたはＣ２Ｈ５）（ジプロピレングリコールエチル（またはジエチル）エーテル）、Ｃ２Ｈ５Ｏ［ＣＨ２ＣＨ（ＣＨ３）Ｏ］３（ＨまたはＣ２Ｈ５）（トリプロピレングリコールエチル（またはジエチル）エーテル）、Ｃ３Ｈ７ＯＣＨ２ＣＨ（ＣＨ３）Ｏ（ＨまたはＣ３Ｈ７）（プロピレングリコールｎ−プロピル（またはジ−ｎ−プロピル）エーテル）、Ｃ３Ｈ７Ｏ［ＣＨ２ＣＨ（ＣＨ３）Ｏ］２（ＨまたはＣ３Ｈ７）（ジプロピレングリコールｎ−プロピル（またはジ−ｎ−プロピル）エーテル）、Ｃ３Ｈ７Ｏ［ＣＨ２ＣＨ（ＣＨ３）Ｏ］３（ＨまたはＣ３Ｈ７）（トリプロピレングリコールｎ−プロピル（またはジ−ｎ−プロピル）エーテル）、Ｃ４Ｈ９ＯＣＨ２ＣＨ（ＣＨ３）ＯＨ（プロピレングリコールｎ−ブチルエーテル）、Ｃ４Ｈ９Ｏ［ＣＨ２ＣＨ（ＣＨ３）Ｏ］２（ＨまたはＣ４Ｈ９）（ジプロピレングリコールｎ−ブチル（またはジ−ｎ−ブチル）エーテル）、Ｃ４Ｈ９Ｏ［ＣＨ２ＣＨ（ＣＨ３）Ｏ］３（ＨまたはＣ４Ｈ９）（トリプロピレングリコールｎ−ブチル（またはジ−ｎ−ブチル）エーテル）、（ＣＨ３）３ＣＯＣＨ２ＣＨ（ＣＨ３）ＯＨ（プロピレングリコールｔ−ブチルエーテル）、（ＣＨ３）３ＣＯ［ＣＨ２ＣＨ（ＣＨ３）Ｏ］２（ＨまたはＣ（ＣＨ３）３）（ジプロピレングリコールｔ−ブチル（またはジ−ｔ−ブチル）エーテル）、（ＣＨ３）３ＣＯ［ＣＨ２ＣＨ（ＣＨ３）Ｏ］３（ＨまたはＣ（ＣＨ３）３）（トリプロピレングリコールｔ−ブチル（またはジ−ｔ−ブチル）エーテル）、Ｃ５Ｈ１１ＯＣＨ２ＣＨ（ＣＨ３）ＯＨ（プロピレングリコールｎ−ペンチルエーテル）、Ｃ４Ｈ９ＯＣＨ２ＣＨ（Ｃ２Ｈ５）ＯＨ（ブチレングリコールｎ−ブチルエーテル）、Ｃ４Ｈ９Ｏ［ＣＨ２ＣＨ（Ｃ２Ｈ５）Ｏ］２Ｈ（ジブチレングリコールｎ−ブチルエーテル）、トリメチロールプロパントリ−ｎ−ブチルエーテル（Ｃ２Ｈ５Ｃ（ＣＨ２Ｏ（ＣＨ２）３ＣＨ３）３）およびトリメチロールプロパンジ−ｎ−ブチルエーテル（Ｃ２Ｈ５Ｃ（ＣＨ２ＯＣ（ＣＨ２）３ＣＨ３）２ＣＨ２ＯＨ）が含まれるが、それらに限定されない。
【００５１】
本発明のアミド可溶化剤は、Ｒ１、Ｒ２、Ｒ３およびＲ５が独立して１〜１２個の炭素原子を有する脂肪族および脂環式炭化水素基から選択され、Ｒ４が３〜１２個の炭素原子を有する脂肪族ヒドロカルビレン基から選択される、式Ｒ１Ｃ（Ｏ）ＮＲ２Ｒ３およびシクロ−［Ｒ４Ｃ（Ｏ）Ｎ（Ｒ５）−］で表されるものであって、約１００〜約３００原子質量単位の分子量を有するアミドを含む。前記アミドの分子量は好ましくは約１６０〜約２５０原子質量単位である。Ｒ１、Ｒ２、Ｒ３およびＲ５は場合により置換炭化水素基、すなわち、ハロゲン（例えば、フッ素、塩素）およびアルコキシド（例えばメトキシ）から選択される非炭化水素置換基を含有する基を含んでもよい。Ｒ１、Ｒ２、Ｒ３およびＲ５は場合によりヘテロ原子置換炭化水素基、すなわち、本来なら炭素原子からなる基鎖中に原子窒素（アザ−）、酸素（オキサ−）または硫黄（チア−）を含有する基を含んでもよい。一般に、３つ以下、好ましくは１つ以下の非炭化水素置換基およびヘテロ原子がＲ１〜３中の各１０個の炭素原子につき存在し得、任意のかかる非炭化水素置換基およびヘテロ原子の存在は、前述の分子量制限を適用する際に考慮されなければならない。好ましいアミド可溶化剤は炭素、水素、窒素および酸素からなる。代表的なＲ１、Ｒ２、Ｒ３およびＲ５脂肪族および脂環式炭化水素基には、メチル、エチル、プロピル、イソプロピル、ブチル、イソブチル、第二級ブチル、第三級ブチル、ペンチル、イソペンチル、ネオペンチル、第三級ペンチル、シクロペンチル、シクロヘキシル、ヘプチル、オクチル、ノニル、デシル、ウンデシル、ドデシルおよびそれらの立体配置異性体が含まれる。アミド可溶化剤の好ましい実施形態は、前述の式シクロ−［Ｒ４Ｃ（Ｏ）Ｎ（Ｒ５）−］中のＲ４がヒドロカルビレン基（ＣＲ６Ｒ７）ｎで表されてもよいもの、言い換えれば、式シクロ−［（ＣＲ６Ｒ７）ｎＣ（Ｏ）Ｎ（Ｒ５）−］（ここで、分子量について前に述べられた値が適用され、ｎは３〜５の整数であり、Ｒ５は１〜１２個の炭素原子を含有する飽和炭化水素基であり、Ｒ６およびＲ７は独立してＲ１〜３の定義で前に提供された規則によって（各ｎについて）選択される）のものである。式シクロ−［（ＣＲ６Ｒ７）ｎＣ（Ｏ）Ｎ（Ｒ５）−］で表されるラクタムで、すべてのＲ６およびＲ７は好ましくは水素であるか、またはｎ個のメチレン単位の中に単一の飽和炭化水素基を含有し、Ｒ５は３〜１２個の炭素原子を含有する飽和炭化水素基である。例えば、１−（飽和炭化水素基）−５−メチルピロリジン−２−オン。
【００５２】
代表的なアミド可溶化剤には、１−オクチルピロリジン−２−オン、１−デシルピロリジン−２−オン、１−オクチル−５−メチルピロリジン−２−オン、１−ブチルカプロラクタム、１−シクロヘキシルピロリジン−２−オン、１−ブチル−５−メチルピペリド−２−オン、１−ペンチル−５−メチルピペリド−２−オン、１−ヘキシルカプロラクタム、１−ヘキシル−５−メチルピロリジン−２−オン、５−メチル−１−ペンチルピペリド−２−オン、１，３−ジメチルピペリド−２−オン、１−メチルカプロラクタム、１−ブチル−ピロリジン−２−オン、１，５−ジメチルピペリド−２−オン、１−デシル−５−メチルピロリジン−２−オン、１−ドデシルピロリド−２−オン、Ｎ，Ｎ−ジブチルホルムアミドおよびＮ，Ｎ−ジイソプロピルアセトアミドが含まれるが、それらに限定されない。
【００５３】
本発明のケトン可溶化剤は、Ｒ１およびＲ２が独立して１〜１２個の炭素原子を有する脂肪族、脂環式およびアリール炭化水素基から選択される、式Ｒ１Ｃ（Ｏ）Ｒ２で表されるケトンであって、約７０〜約３００原子質量単位の分子量を有するケトンを含む。前記ケトン中のＲ１およびＲ２は好ましくは独立して１〜９個の炭素原子を有する脂肪族および脂環式炭化水素基から選択される。前記ケトンの分子量は好ましくは約１００〜２００原子質量単位である。Ｒ１およびＲ２は一緒になって連結ヒドロカルビレン基を形成し、５、６、または７員環環式ケトン、例えば、シクロペンタノン、シクロヘキサノン、およびシクロヘプタノンを形成してもよい。Ｒ１およびＲ２は場合により置換炭化水素基、すなわち、ハロゲン（例えば、フッ素、塩素）およびアルコキシド（例えばメトキシ）から選択される非炭化水素置換基を含有する基を含んでもよい。Ｒ１およびＲ２は場合によりヘテロ原子置換炭化水素基、すなわち、本来なら炭素原子からなる基鎖中に原子窒素（アザ−）、酸素（ケト−、オキサ−）または硫黄（チア−）を含有する基を含んでもよい。一般に、３つ以下、好ましくは１つ以下の非炭化水素置換基およびヘテロ原子がＲ１およびＲ２中の各１０個の炭素原子につき存在し得、任意のかかる非炭化水素置換基およびヘテロ原子の存在は、前述の分子量制限を適用する際に考慮されなければならない。一般式Ｒ１Ｃ（Ｏ）Ｒ２中の代表的なＲ１およびＲ２脂肪族、脂環式およびアリール炭化水素基には、フェニル、ベンジル、クメニル、メシチル、トリル、キシリルおよびフェネチルだけでなく、メチル、エチル、プロピル、イソプロピル、ブチル、イソブチル、第二級ブチル、第三級ブチル、ペンチル、イソペンチル、ネオペンチル、第三級ペンチル、シクロペンチル、シクロヘキシル、ヘプチル、オクチル、ノニル、デシル、ウンデシル、ドデシルおよびそれらの立体配置異性体が含まれる。
【００５４】
代表的なケトン可溶化剤には、２−ブタノン、２−ペンタノン、アセトフェノン、ブチロフェノン、ヘキサノフェノン、シクロヘキサノン、シクロヘプタノン、２−ヘプタノン、３−ヘプタノン、５−メチル−２−ヘキサノン、２−オクタノン、３−オクタノン、ジイソブチルケトン、４−エチルシクロヘキサノン、２−ノナノン、５−ノナノン、２−デカノン、４−デカノン、２−デカロン、２−トリデカノン、ジヘキシルケトンおよびジシクロヘキシルケトンが含まれるが、それらに限定されない。
【００５５】
本発明のニトリル可溶化剤は、Ｒ１が５〜１２個の炭素原子を有する脂肪族、脂環式またはアリール炭化水素基から選択される、式Ｒ１ＣＮで表されるニトリルであって、約９０〜約２００原子質量単位の分子量を有するニトリルを含む。前記ニトリル可溶化剤中のＲ１は８〜１０個の炭素原子を有する脂肪族および脂環式炭化水素基から好ましくは選択される。前記ニトリル可溶化剤の分子量は好ましくは約１２０〜約１４０原子質量単位である。Ｒ１は場合により置換炭化水素基、すなわち、ハロゲン（例えば、フッ素、塩素）およびアルコキシド（例えばメトキシ）から選択される非炭化水素置換基を含有する基を含んでもよい。Ｒ１は場合によりヘテロ原子置換炭化水素基、すなわち、本来なら炭素原子よりなる基鎖中に原子窒素（アザ−）、酸素（ケト−、オキサ−）または硫黄（チア−）を含有する基を含んでもよい。一般に、３つ以下、好ましくは１つ以下の非炭化水素置換基およびヘテロ原子がＲ１中の各１０個の炭素原子につき存在し得、任意のかかる非炭化水素置換基およびヘテロ原子の存在は、前述の分子量制限を適用する際に考慮されなければならない。一般式Ｒ１ＣＮ中の代表的なＲ１脂肪族、脂環式およびアリール炭化水素基には、フェニル、ベンジル、クメニル、メシチル、トリル、キシリルおよびフェネチルだけでなく、ペンチル、イソペンチル、ネオペンチル、第三級ペンチル、シクロペンチル、シクロヘキシル、ヘプチル、オクチル、ノニル、デシル、ウンデシル、ドデシルおよびそれらの立体配置異性体が含まれる。
【００５６】
代表的なニトリル可溶化剤には、１−シアノペンタン，２，２−ジメチル−４−シアノペンタン，１−シアノヘキサン、１−シアノヘプタン、１−シアノオクタン、２−シアノオクタン、１−シアノノナン、１−シアノデカン、２−シアノデカン、１−シアノウンデカンおよび１−シアノドデカンが含まれるが、それらに限定されない。
【００５７】
本発明のクロロカーボン可溶化剤は、ｘが整数１または２であり、Ｒが１〜１２個の炭素原子を有する脂肪族および脂環式炭化水素基から選択される、式ＲＣｌｘで表されるクロロカーボンであって、約１００〜約２００原子質量単位の分子量を有するクロロカーボンを含む。前記クロロカーボン可溶化剤の分子量は好ましくは約１２０〜１５０原子質量単位である。一般式ＲＣｌｘ中の代表的なＲ脂肪族および脂環式炭化水素基には、メチル、エチル、プロピル、イソプロピル、ブチル、イソブチル、第二級ブチル、第三級ブチル、ペンチル、イソペンチル、ネオペンチル、第三級ペンチル、シクロペンチル、シクロヘキシル、ヘプチル、オクチル、ノニル、デシル、ウンデシル、ドデシルおよびそれらの立体配置異性体が含まれる。
【００５８】
代表的なクロロカーボン可溶化剤には、３−（クロロメチル）ペンタン、３−クロロ−３−メチルペンタン、１−クロロヘキサン、１，６−ジクロロヘキサン、１−クロロヘプタン、１−クロロオクタン、１−クロロノナン、１−クロロデカン、および１，１，１−トリクロロデカンが含まれるが、それらに限定されない。
【００５９】
本発明のエステル可溶化剤は、Ｒ１およびＲ２が独立して線状および環式の、飽和および不飽和の、アルキルおよびアリール基から選択される、一般式Ｒ１Ｃ（Ｏ）ＯＲ２で表されるエステルを含む。好ましいエステルは本質的には元素Ｃ、ＨおよびＯからなり、約８０〜約５５０原子質量単位の分子量を有する。
【００６０】
代表的なエステルには、（ＣＨ３）２ＣＨＣＨ２Ｏ（Ｏ）Ｃ（ＣＨ２）２〜４（Ｏ）ＣＯＣＨ２ＣＨ（ＣＨ３）２（二塩基酸ジイソブチルエステル）、ヘキサン酸エチル、ヘプタン酸エチル、プロピオン酸ｎ−ブチル、プロピオン酸ｎ−プロピル、安息香酸エチル、フタル酸ジ−ｎ−プロピル、安息香酸エトキシエチルエステル、炭酸ジプロピル、「イグザート（Ｅｘｘａｔｅ）７００」（市販の酢酸Ｃ７アルキル）、「イグザート８００」（市販の酢酸Ｃ８アルキル）、フタル酸ジブチルおよび酢酸第三級ブチルが含まれるが、それらに限定されない。
【００６１】
本発明のラクトン可溶化剤は構造［Ａ］、［Ｂ］、および［Ｃ］で表されるラクトンを含む。
【００６２】
【化１】
2008545837.tif 000010
【００６３】
これらのラクトンは、構造［Ａ］および［Ｂ］について、Ｒ１〜Ｒ８が独立して水素または線状、分岐、環式、二環式、飽和および不飽和ヒドロカルビル基から選択される、６原子（Ａ）、または好ましくは５原子（Ｂ）および（Ｃ）の環中に官能基−Ｃ（Ｏ）Ｏ−を含有する。各Ｒ１〜Ｒ８は別のＲ１〜Ｒ８と連結されて環を形成してもよい。ラクトンは、Ｒ１〜Ｒ６が独立して水素または線状、分岐、環式、二環式、飽和および不飽和ヒドロカルビル基から選択される、構造［Ｃ］でのように環外アルキリデン基を有してもよい。各Ｒ１〜Ｒ６は別のＲ１〜Ｒ６と連結されて環を形成してもよい。ラクトン可溶化剤は約８０〜約３００原子質量単位、好ましくは約８０〜約２００原子質量単位の分子量範囲を有する。
【００６４】
代表的なラクトン可溶化剤には、表５に挙げられる化合物が含まれるが、それらに限定されない。
【００６５】
【表９】
2008545837.tif 000011
【００６６】
【表１０】
2008545837.tif 000012
【００６７】
【表１１】
2008545837.tif 000013
【００６８】
ラクトン可溶化剤は一般に４０℃で約７センチストーク未満の動粘度を有する。例えば、両方とも４０℃で、ガンマ−ウンデカラクトンは５．４センチストークの動粘度を有し、シス−（３−ヘキシル−５−メチル）ジヒドロフラン−２−オンは４．５センチストークの粘度を有する。ラクトン可溶化剤は商業的に入手可能であるかもしれず、または参照により本明細書に援用される、２００４年８月３日出願の米国特許公報（特許文献１）（発明者はＰ．Ｊ．ファガン（Ｐ．Ｊ．Ｆａｇａｎ）およびＣ．Ｊ．ブランデンバーグ（Ｃ．Ｊ．Ｂｒａｎｄｅｎｂｕｒｇ）である）に記載されているような方法によって製造されてもよい。
【００６９】
本発明のアリールエーテル可溶化剤は、Ｒ１が６〜１２個の炭素原子を有するアリール炭化水素基から選択され、Ｒ２が１〜４個の炭素原子を有する脂肪族炭化水素基から選択される、式Ｒ１ＯＲ２で表されるアリールエーテルであって、約１００〜約１５０原子質量単位の分子量を有するアリールエーテルを含む。一般式Ｒ１ＯＲ２中の代表的なＲ１アリール基には、フェニル、ビフェニル、クメニル、メシチル、トリル、キシリル、ナフチルおよびピリジルが含まれる。一般式Ｒ１ＯＲ２中の代表的なＲ２脂肪族炭化水素基には、メチル、エチル、プロピル、イソプロピル、ブチル、イソブチル、第二級ブチルおよび第三級ブチルが含まれる。代表的な芳香族エーテル可溶化剤には、メチルフェニルエーテル（アニソール）、１，３−ジメトキシベンゼン、エチルフェニルエーテルおよびブチルフェニルエーテルが含まれるが、それらに限定されない。
【００７０】
本発明のフルオロエーテル可溶化剤は、Ｒ１が約５〜約１５個の炭素原子を有する脂肪族、脂環式、および芳香族炭化水素基、好ましくは第一、線状、飽和アルキル基から選択される、一般式Ｒ１ＯＣＦ２ＣＦ２Ｈで表されるものを含む。代表的なフルオロエーテル可溶化剤には、Ｃ８Ｈ１７ＯＣＦ２ＣＦ２ＨおよびＣ６Ｈ１３ＯＣＦ２ＣＦ２Ｈが含まれるが、それらに限定されない。冷媒がフルオロエーテルである場合、そのときには可溶化剤は同じフルオロエーテルであってはならないことが留意されるべきである。
【００７１】
フルオロエーテル可溶化剤は、フルオロオレフィンおよびポリオールから誘導されたエーテルをさらに含んでもよい。フルオロオレフィンは、Ｘが水素、塩素またはフッ素であり、Ｙが塩素、フッ素、ＣＦ３またはＲｆがＣＦ３、Ｃ２Ｆ５もしくはＣ３Ｆ７であるＯＲｆである、タイプＣＦ２＝ＣＸＹのものであってもよい。代表的なフルオロオレフィンは、テトラフルオロエチレン、クロロトリフルオロエチレン、ヘキサフルオロプロピレン、およびパーフルオロメチルビニルエーテルである。ポリオールは線状または分岐であってもよい。線状ポリオールは、ＲおよびＲ’が水素、またはＣＨ３、またはＣ２Ｈ５であり、そしてｘが０〜４の整数であり、ｙが０〜４の整数である、タイプＨＯＣＨ２（ＣＨＯＨ）ｘ（ＣＲＲ’）ｙＣＨ２ＯＨのものであってもよい。分岐ポリオールは、Ｒが水素、ＣＨ３またはＣ２Ｈ５であってもよく、ｍが０〜３の整数であってもよく、ｔおよびｕが０または１であってもよく、ｖおよびｗが０〜４の整数であり、そしてまた、ｔ＋ｕ＋ｖ＋ｗ＝４である、タイプＣ（ＯＨ）ｔ（Ｒ）ｕ（ＣＨ２ＯＨ）ｖ［（ＣＨ２）ｍＣＨ２ＯＨ］ｗのものであってもよい。代表的なポリオールはトリメチロールプロパン、ペンタエリスリトール、ブタンジオール、およびエチレングリコールである。
【００７２】
本発明の１，１，１−トリフルオロアルカン可溶化剤は、Ｒ１が約５〜約１５個の炭素原子を有する脂肪族および脂環式炭化水素基、好ましくは第一、線状、飽和アルキル基から選択される、一般式ＣＦ３Ｒ１で表される１，１，１−トリフルオロアルカンを含む。代表的な１，１，１−トリフルオロアルカン可溶化剤には、１，１，１−トリフルオロヘキサンおよび１，１，１−トリフルオロドデカンが含まれるが、それらに限定されない。
【００７３】
本発明の可溶化剤は単一化合物として存在してもよいし、または２種以上の可溶化剤の混合物として存在してもよい。可溶化剤の混合物は、例えば２種のラクトンのような、同じクラスの化合物からの２種の可溶化剤、または例えばラクトンおよびポリオキシアルキレングリコールエーテルのような、２種の異なるクラスからの２種の可溶化剤を含有してもよい。
【００７４】
冷媒およびＵＶ蛍光染料を含む、または伝熱流体およびＵＶ蛍光染料を含む本発明の組成物では、組成物の約０．００１重量パーセント〜約１．０重量パーセント、好ましくは約０．００５重量パーセント〜約０．５重量パーセント、最も好ましくは０．０１重量パーセント〜約０．２５重量パーセントがＵＶ染料である。
【００７５】
冷媒および伝熱流体へのこれらのＵＶ蛍光染料の溶解性は不十分であり得る。それ故、冷凍装置またはエアコン装置へのこれらの染料の導入方法は厄介で、コストのかかる、時間のかかるものであった。米国特許公報（特許文献２）は、冷凍装置またはエアコン装置の部品へ挿入されてもよい染料粉末、染料の固体ペレットまたはスラリーを利用する方法を記載している。冷媒および潤滑油が装置のすみずみまで循環されるので、染料は溶解または分散され、装置の全体にわたって運ばれる。染料を冷凍装置またはエアコン装置へ導入するための多数の他の方法が文献に記載されている。理想的には、ＵＶ蛍光染料は冷媒それ自体に溶解させることができ、それによって冷凍装置またはエアコン装置への導入のための特別な方法を何ら必要としないであろう。本発明は、冷媒中でシステムへ導入されてもよい、ＵＶ蛍光染料を含む組成物に関する。本発明の組成物は、染料を溶液に維持したまま、低温であっても染料含有冷媒および伝熱流体の貯蔵および移送を可能にするであろう。冷媒、ＵＶ蛍光染料および可溶化剤を含む、または伝熱流体、ＵＶ蛍光染料および可溶化剤を含む本発明の組成物では、組み合わせられた組成物の約１〜約５０重量パーセント、好ましくは約２〜約２５重量パーセント、最も好ましくは約５〜約１５重量パーセントが冷媒または伝熱流体中の可溶化剤である。本発明の組成物ではＵＶ蛍光染料は、冷媒または伝熱流体中に約０．００１重量パーセント〜約１．０重量パーセント、好ましくは０．００５重量パーセント〜約０．５重量パーセント、最も好ましくは０．０１重量パーセント〜約０．２５重量パーセントの濃度で存在する。
【００７６】
場合により、一般に使用される冷凍またはエアコンシステム添加剤が、性能およびシステム安定性を高めるために本発明の組成物に必要に応じて加えられてもよい。これらの添加剤は冷凍およびエアコンの分野で公知であり、摩耗防止剤、極圧潤滑油、腐食および酸化防止剤、金属表面不活性化剤、フリーラジカル捕捉剤、および発泡制御剤を含むが、それらに限定されない。一般に、これらの添加剤は全体組成物に対してほんの少量で本発明の組成物中に存在する。典型的には約０．１％未満から約３重量パーセント程度もの濃度の各添加剤が使用される。これらの添加剤は、個々のシステム要件に基づいて選択される。これらの添加剤には、ブチル化トリフェニルホスフェート（ＢＴＰＰ）、または他のアルキル化トリアリールホスフェートエステル、例えばアクゾ・ケミカルズ（Ａｋｚｏ  Ｃｈｅｍｉｃａｌｓ）製のＳｙｎ−０−Ａｄ８４７８、トリクレジルホスフェートおよび関連化合物などの、第三級ホスフェート族のＥＰ（極圧）潤滑性添加剤のメンバーが含まれる。さらに、金属ジアルキルジチオホスフェート（例えばジチオリン酸ジアルキル亜鉛（またはＺＤＤＰ））、リューブリゾール（Ｌｕｂｒｉｚｏｌ）１３７５およびこの族の化学薬品の他のメンバーが本発明の組成物に使用されてもよい。他の摩耗防止添加剤には、天然物油、およびシナーゴル（Ｓｙｎｅｒｇｏｌ）ＴＭＳ（インターナショナル・リューブリカンツ（Ｉｎｔｅｒｎａｔｉｏｎａｌ  Ｌｕｂｒｉｃａｎｔｓ））などの非対称ポリヒドロキシル潤滑添加剤が含まれる。同様に、酸化防止剤、フリーラジカル捕捉剤、および水捕捉剤などの安定剤が用いられてもよい。このカテゴリーの化合物には、ブチル化ヒドロキシトルエン（ＢＨＴ）およびエポキシドが含まれ得るが、それらに限定されない。
【００７７】
ケトンなどの可溶化剤は、臭気マスキング剤または香料の添加によってマスクすることができる不快臭を有するかもしれない。臭気マスキング剤または香料の典型的な例には、ｄ−リモネンおよびピネンだけでなく、すべて商業的に入手可能な、エバーグリーン（Ｅｖｅｒｇｒｅｅｎ）、フレッシュ・レモン（Ｆｒｅｓｈ  Ｌｅｍｏｎ）、チェリー（Ｃｈｅｒｒｙ）、シナモン（Ｃｉｎｎａｍｏｎ）、ペパーミント（Ｐｅｐｐｅｒｍｉｎｔ）、フローラル（Ｆｌｏｒａｌ）またはオレンジ・ピール（Ｏｒａｎｇｅ  Ｐｅｅｌ）が挙げられるかもしれない。かかる臭気マスキング剤は、臭気マスキング剤と可溶化剤との総合重量を基準にして約０．００１％から約１５質量％ほどに多い濃度で使用されてもよい。
【００７８】
一実施形態では、本発明は、冷凍装置またはエアコン装置での、紫外線蛍光染料、および場合により、可溶化剤をさらに含む冷媒または伝熱流体組成物の使用方法に関する。本方法は、冷凍装置またはエアコン装置へ冷媒または伝熱流体組成物を導入する工程を含む。これは、可溶化剤の存在下にＵＶ蛍光染料を冷媒または伝熱流体組成物に溶解させ、該組み合わせを装置へ導入することによって行われてもよい。あるいはまた、これは、可溶化剤とＵＶ蛍光染料とを組み合わせ、前記組み合わせを、冷媒および／または伝熱流体を含有する冷凍装置またはエアコン装置へ導入することによって行われてもよい。生じた組成物は、冷凍装置またはエアコン装置で使用されてもよい。
【００７９】
別の実施形態では、本発明は、漏出を検出するための紫外線蛍光染料を含む冷媒または伝熱流体組成物の使用方法に関する。組成物中の染料の存在は、冷凍装置またはエアコン装置での漏出冷媒の検出を可能にする。漏出検出は、装置もしくはシステムの非能率的な運転または機器破壊に対処する、それを解決するまたは予防するのに役立つ。漏出検出はまた、装置の運転に使用される化学薬品を封じ込めるのを助ける。
【００８０】
本方法は、冷媒および紫外線蛍光染料を含む、または伝熱流体および紫外線蛍光染料、および場合により、本明細書に記載されるような可溶化剤を含む組成物を冷凍およびエアコン装置に提供する工程と、ＵＶ蛍光染料含有冷媒を検出するための好適な手段を用いる工程とを含む。染料を検出するための好適な手段には、しばしば「ブラックライト」または「ブルーライト」と言われる、紫外線ランプが含まれるが、それに限定されない。この目的にために特にデザインされた、かかる紫外線ランプは多数の供給業者から商業的に入手可能である。いったん紫外線蛍光染料含有組成物が冷凍装置またはエアコン装置に導入され、そしてシステムの全体にわたって循環させたら、前記紫外線ランプを装置に当て、任意の漏出ポイントの近傍で染料の蛍光を観察することによって漏出を見つけることができる。
【００８１】
別の実施形態では、本発明は、冷却または熱をもたらすための本発明の組成物の使用方法であって、冷却される本体の近傍で前記組成物を蒸発させ、その後前記組成物を凝縮させることによって冷却をもたらす工程、または加熱される本体の近傍で前記組成物を凝縮させ、その後前記組成物を蒸発させることによって熱をもたらす工程とを含む方法に関する。本発明の組成物が紫外線蛍光染料、および／または可溶化剤入り冷媒または伝熱流体組成物を含む場合、組成物の冷媒または伝熱流体成分は蒸発させられ、その後凝縮させられて冷却をもたらすか、または凝縮させられ、その後蒸発させられて熱をもたらす。
【００８２】
機械冷凍は主として、冷媒などの冷却媒体が再使用のために回収できるようにそれがサイクルを通過する熱力学の応用である。一般に用いられるサイクルには、蒸気−圧縮、吸収、スチーム−ジェットまたはスチーム−エジェクタ、および空気が含まれる。
【００８３】
蒸気−圧縮冷凍システムには、エバポレーター、圧縮機、凝縮器、および膨張デバイスが含まれる。蒸気−圧縮サイクルは、一工程で冷却効果を、そして異なる工程で加熱効果をもたらす多段工程で冷媒を再使用する。サイクルは次の通り簡単に説明することができる。液体冷媒は膨張デバイスを通ってエバポレーターに入り、液体冷媒はエバポレーターにおいて低温で沸騰してガスを形成し、冷却をもたらす。低圧ガスは圧縮機に入り、そこでガスは圧縮されてその圧力および温度を上げる。より高い圧力の（圧縮された）ガス状冷媒は次に凝縮器に入り、そこで冷媒は凝縮し、その熱を周囲に放出する。冷媒は膨張デバイスに戻り、それによって液体は凝縮器におけるより高い圧力レベルからエバポレーターにおける低い圧力レベルに膨張し、このようにサイクルを繰り返す。
【００８４】
冷凍用途に用いられてもよい様々なタイプの圧縮機がある。圧縮機は、流体を圧縮するための機械的手段に依存して、往復、回転、ジェット、遠心、スクロール、スクリューもしくは軸流として、または機械的要素が圧縮されるべき流体にどのように作用するかに依存して、容積式（例えば、往復、スクロールもしくはスクリュー）もしくは動力学式（例えば、遠心もしくはジェット）として一般に分類することができる。
【００８５】
容積式圧縮機か動圧縮機かのどちらかが本発明の方法に用いられてもよい。遠心タイプ圧縮機が本発明の冷媒組成物にとって好ましい機器である。
【００８６】
遠心圧縮機は冷媒を放射状に加速させるために回転要素を用い、典型的にはインペラおよびケーシングに収容されたディフューザを含む。遠心圧縮機は通常、インペラアイ、または循環インペラの中央入口で流体を取り入れ、それを放射状に外側へ加速させる。幾らかの静圧上昇がインペラで起こるが、圧力上昇のほとんどは、速度が静圧に変換される、ケーシングのディフューザ部分で起こる。各インペラ−ディフューザ・セットは圧縮機の１段である。遠心圧縮機は、所望の最終圧力および取り扱われるべき冷媒の容量に依存して、１〜１２またはそれ以上の段で構築される。
【００８７】
圧縮機の圧力比、または圧縮比は、絶対吐出圧力対絶対入口圧力の比である。遠心圧縮機によって与えられる圧力は、比較的広範囲のキャパシティにわたって事実上一定である。
【００８８】
容積式圧縮機は蒸気をチャンバ中へ引き込み、チャンバは容積を減少させて蒸気を圧縮する。圧縮された後、蒸気は、チャンバの容積をゼロまたはほぼゼロにさらに減少させることによってチャンバから押し出される。容積式圧縮機は圧力を増加させることができ、それは、容積効率および圧力に耐えるための部品の強度によってのみ制限される。
【００８９】
容積式圧縮機とは違って、遠心圧縮機は、インペラを通過する蒸気を圧縮するための高速インペラの遠心力にのみ依存する。容積式圧縮は全くなく、動圧縮と呼ばれるものがある。遠心圧縮機が生成することができる圧力は、インペラの先端速度に依存する。先端速度は、その先端で測定されるインペラの速度であり、インペラの直径およびその回転数毎分に関係する。遠心圧縮機のキャパシティはインペラの通路のサイズによって決定される。これは、圧縮機のサイズをキャパシティより必要とされる圧力により多く依存させる。その高速運転のために、遠心圧縮機は基本的には高容量、低圧機である。遠心圧縮機は、トリクロロフルオロメタン（ＣＦＣ−１１）または１，２，２−トリクロロトリフルオロエタン（ＣＦＣ−１１３）などの、低圧冷媒で最も良好に働く。
【００９０】
大きな遠心圧縮機は典型的には３０００〜７０００回転毎分（ｒｐｍ）で動作する。小さなタービン遠心圧縮機は約４０，０００〜約７０，０００（ｒｐｍ）の高速用にデザインされ、小さなインペラサイズ、典型的には０．１５メートル未満を有する。
【００９１】
多段インペラが、圧縮機効率を向上させ、こうして使用中により少ない電力を必要とするために遠心圧縮機に用いられてもよい。２段システムについては、運転中に、第１段インペラの吐出物は第２インペラの吸引取入口に行く。両インペラは単一シャフト（または車軸）を用いて動作してもよい。各段は、約４対１の圧縮比を構築することができる、すなわち、絶対吐出圧力は絶対吸引圧力の４倍であることができる。このケースで自動車用途向けの、２段遠心圧縮機システムの例は、参照により本明細書に援用される、米国特許公報（特許文献３）に記載されている。
【００９２】
遠心圧縮機を用いる冷凍またはエアコンシステムでの使用に好適な本発明の組成物は、
ＰＦＢＥおよび４−ブロモ−３，３，４，４−テトラフルオロブテン、
ＰＦＢＥおよび２−ブロモ−１，１，１，３，４，４，４−ヘプタフルオロブテン、
ＰＦＢＥおよび３−ブロモ−１，１，１，２，４，４，５，５，５−ノナフルオロブテン、
ＰＦＢＥおよび１−ブロモ−３，３，４，４，４−ペンタフルオロブテン、
ＰＦＢＥおよび２−ブロモ−３，３，４，４，４−ペンタフルオロブテン、
ＰＦＢＥおよびアセトン、
ＰＦＢＥおよび２−クロロ−１，１，１，４，４，５，５，５−オクタフルオロ−２−（トリフルオロメチル）−３−ペンタノン、
ＰＦＢＥおよび１，１，１，２，２，５，５，５−オクタフルオロ−４−（トリフルオロメチル）−３−ペンタノン、
ＰＦＢＥおよびメタノール、
ＰＦＢＥおよびエタノール、
ＰＦＢＥおよびｎ−プロパノール、
ＰＦＢＥおよびイソプロパノール、
ＰＦＢＥおよび２，２，２−トリフルオロエタノール、
ＰＦＢＥおよび２，２，３，３，３−ペンタフルオロプロパノール、
ＰＦＢＥおよび２，２，３，３−テトラフルオロプロパノール、
ＰＦＢＥおよびヘキサフルオロイソプロパノール、
ＰＦＢＥおよび１，１−ジクロロエタン、
ＰＦＢＥおよびシス−１，２−ジクロロエチレン、
ＰＦＢＥおよびトランス−１，２−ジクロロエチレン、
ＰＦＢＥおよびジイソプロピルエーテル、
ＰＦＢＥおよび１，２−ジメトキシエタン、
ＰＦＢＥおよびジメトキシメタン、
ＰＦＢＥおよびメチル第三級ブチルエーテル、
ＰＦＢＥおよび酢酸メチル、
ＰＦＢＥおよびギ酸メチル、
ＰＦＢＥおよび酢酸エチル、
ＰＦＢＥおよびギ酸エチル、
ＰＦＢＥおよび４−クロロ−１，１，２，３，３，４−ヘキサフルオロブテン、ならびに
ＰＦＢＥおよびＮ−（ジフルオロメチル）−Ｎ，Ｎ−ジメチルアミン
の少なくとも１種を含む。
【００９３】
これらの上に挙げた組成物はまた、多段遠心圧縮機、好ましくは２段遠心圧縮機装置での使用にも好適である。
【００９４】
本発明の組成物は固定式エアコン、ヒートポンプまたは移動式エアコンおよび冷凍システムで使用されてもよい。固定式エアコンおよびヒートポンプ用途には、ウィンドウ型、ダクトレス型、ダクト型、パッケージ・ターミナル型、パッケージ・ルーフトップをはじめとする、冷蔵室および業務用が含まれる。冷凍用途には、家庭用またはホーム冷蔵庫および冷凍庫、アイス製造機、内蔵型クーラーおよび冷凍庫、ウォークイン・クーラーおよび冷凍庫ならびに輸送冷凍システムが含まれる。
【００９５】
本発明の組成物は、羽根およびチューブ熱交換器、マイクロチャネル熱交換器、ならびに垂直または水平ワンパスチューブまたはプレート型熱交換器を用いるエアコン、加熱および冷凍システムでさらに使用されてもよい。
【００９６】
通常のマイクロチャネル熱交換器は、本発明の低圧冷媒組成物にとって理想的ではないかもしれない。低い運転圧力および密度は、すべての部品に高い流速および高い摩擦損失をもたらす。これらのケースでは、エバポレーター・デザインは修正されてもよい。（冷媒パスに関して）直列に連結された幾つかのマイクロチャネル・スラブよりもむしろシングルスラブ／ワンパス熱交換器配置が用いられてもよい。それ故、本発明の低圧冷媒にとって好ましい熱交換器はシングルスラブ／ワンパス熱交換器である。
【００９７】
２段または他の多段遠心圧縮機装置に加えて、本発明の次の組成物は、シングルスラブ／ワンパス熱交換器を用いる冷凍装置またはエアコン装置での使用にも好適である：
ＰＦＢＥおよび４−ブロモ−３，３，４，４−テトラフルオロブテン、
ＰＦＢＥおよび２−ブロモ−１，１，１，３，４，４，４−ヘプタフルオロブテン、
ＰＦＢＥおよび３−ブロモ−１，１，１，２，４，４，５，５，５−ノナフルオロブテン、
ＰＦＢＥおよび１−ブロモ−３，３，４，４，４−ペンタフルオロブテン、
ＰＦＢＥおよび２−ブロモ−３，３，４，４，４−ペンタフルオロブテン、
ＰＦＢＥおよびアセトン、
ＰＦＢＥおよび２−クロロ−１，１，１，４，４，５，５，５−オクタフルオロ−２−（トリフルオロメチル）−３−ペンタノン、
ＰＦＢＥおよび１，１，１，２，２，５，５，５−オクタフルオロ−４−（トリフルオロメチル）−３−ペンタノン、
ＰＦＢＥおよびメタノール、
ＰＦＢＥおよびエタノール、
ＰＦＢＥおよびｎ−プロパノール、
ＰＦＢＥおよびイソプロパノール、
ＰＦＢＥおよび２，２，２−トリフルオロエタノール、
ＰＦＢＥおよび２，２，３，３，３−ペンタフルオロプロパノール、
ＰＦＢＥおよび２，２，３，３−テトラフルオロプロパノール、
ＰＦＢＥおよびヘキサフルオロイソプロパノール、
ＰＦＢＥおよび１，１−ジクロロエタン、
ＰＦＢＥおよびシス−１，２−ジクロロエチレン、
ＰＦＢＥおよびトランス−１，２−ジクロロエチレン、
ＰＦＢＥおよびジイソプロピルエーテル、
ＰＦＢＥおよび１，２−ジメトキシエタン、
ＰＦＢＥおよびジメトキシメタン、
ＰＦＢＥおよびメチル第三級ブチルエーテル、
ＰＦＢＥおよび酢酸メチル、
ＰＦＢＥおよびギ酸メチル、
ＰＦＢＥおよび酢酸エチル、
ＰＦＢＥおよびギ酸エチル、
ＰＦＢＥおよび４−クロロ−１，１，２，３，３，４−ヘキサフルオロブテン、ならびに
ＰＦＢＥおよびＮ−（ジフルオロメチル）−Ｎ，Ｎ−ジメチルアミン。
【００９８】
本発明の組成物は、自動車およびウィンドウ型エアコン、ヒートポンプ、または輸送冷凍、ならびに他の用途で用いることができる、小さなタービン遠心圧縮機（ミニ遠心圧縮機）で特に有用である。これらの高効率ミニ遠心圧縮機は電動機によって駆動されてもよく、それ故エンジン速度とは無関係に運転することができる。一定の圧縮機速度は、システムがすべてのエンジン速度で比較的一定の冷却キャパシティを提供することを可能にする。これは、従来のＲ−１３４ａ自動車エアコンシステムと比較してより高いエンジン速度で特に効率を向上させることができる。高い駆動速度での従来システムのサイクリング運転が考慮される場合、これらの低圧システムの利点はさらにより大きくなる。
【００９９】
あるいはまた、電力を用いるよりもむしろ、ミニ遠心圧縮機は、エンジン排出ガス駆動タービンまたはレシオベルト駆動のレシオギア駆動アセンブリによって作動してもよい。現行自動車デザインで利用可能な電力は約１４ボルトであるが、新ミニ遠心圧縮機は約５０ボルトの電力を必要とする。それ故、交流電源の使用が有利であろう。エンジン排出ガス駆動タービンによって作動する冷凍装置またはエアコン装置は、参照により本明細書に援用される、２００６年３月２日出願の米国特許公報（特許文献４）に詳細に記載されている。レシオギア駆動アセンブリによって作動する冷凍装置またはエアコン装置は、参照により本明細書に援用される、２００６年３月１７日出願の米国特許公報（特許文献５）に詳細に記載されている。本発明の低圧冷媒流体の幾つかは、既存の遠心機器でＣＦＣ−１１３のドロップイン代替品として好適であるかもしれない。
【０１００】
蒸気脱脂剤または脱フラックス剤などのクリーニング装置で、組成物は、軸封、ホース連結部、はんだ接合部および損傷ラインでの漏出によって運転中に失われるかもしれない。加えて、作業組成物は、機器のメンテナンス手順中に大気へ放出されるかもしれない。組成物が純化合物または共沸もしくは共沸様組成物でない場合、機器から大気へ漏出されたまたは排出されたときに組成物は変化するかもしれず、それは機器に残っている組成物が引火性になるまたは許容されない性能を示す原因となるかもしれない。従って、漏出またはボイルオフ時に無視できる程度に分別蒸留する単一フッ素化炭化水素かまたは共沸もしくは共沸様組成物をクリーニング組成物として使用することが望ましい。
【０１０１】
一実施形態では、本発明は、冷却される本体の近傍で本発明の組成物を蒸発させる工程と、その後前記組成物を凝縮させる工程とを含む冷却をもたらすための方法に関する。
【０１０２】
別の実施形態では、本発明は、加熱される本体の近傍で本発明の組成物を凝縮させる工程と、その後前記組成物を蒸発させる工程とを含む熱をもたらすための方法に関する。
【０１０３】
さらに別の実施形態では、本発明は、本発明の組成物が伝熱流体として役立つ、熱源からヒートシンクへの熱の移動のための方法に関する。伝熱のための前記方法は、本発明の組成物を熱源からヒートシンクに移す工程を含む。
【０１０４】
伝熱流体は、輻射、伝導、または対流によって熱を一空間、場所、物体または本体から異なる空間、場所、物体または本体へ移す、移動させるまたは除去するために利用される。伝熱流体は、遠く離れた冷凍（または加熱）システムから冷却（または加熱）のための移動の手段を提供することによって二次クーラントとして機能してもよい。幾つかのシステムでは、伝熱流体は移動プロセスの全体にわたって一定の状態のままであってもよい（すなわち、蒸発しないまたは凝縮しない）。あるいはまた、蒸発冷却プロセスは同様にうまく伝熱流体を利用してもよい。
【０１０５】
熱源は、それから熱を移す、移動させるまたは除去することが望まれる任意の空間、場所、物体または本体と定義されてもよい。熱源の例は、冷蔵庫もしくはスーパーマーケットの冷凍ケースなどの、冷凍もしくは冷却を必要とする空間（開かれたもしくは閉ざされた）、エアコンを必要とする建物空間、またはエアコンを必要とする自動車の乗員室であってもよい。ヒートシンクは、熱を吸収することができる任意の空間、場所、物体または本体と定義されてもよい。蒸気圧縮冷凍システムは、かかるヒートシンクの一例である。
【０１０６】
別の実施形態では、本発明は、エンジン排出ガス駆動タービンによって作動するミニ遠心圧縮機で本発明の組成物を圧縮する工程と、前記組成物を凝縮させる工程と、その後冷却される本体の近傍で前記組成物を蒸発させる工程とを含む冷却をもたらすための方法に関する。
【０１０７】
さらに別の実施形態では、本発明は、レシオベルト駆動のレシオギア駆動アセンブリによって作動するミニ遠心圧縮機で本発明の組成物を圧縮する工程と、前記組成物を凝縮させる工程と、その後冷却される本体の近傍で前記組成物を蒸発させる工程とを含む冷却をもたらすための方法に関する。
【０１０８】
本発明の実施形態では、本発明の共沸組成物は有効なクリーニング剤、脱フラックス剤、および脱脂剤である。特に、本発明共沸組成物は、フリップ（Ｆｌｉｐ）チップ、μＢＧＡ（ボール・グリッド・アレイ）、およびチップ（Ｃｈｉｐ）スケールまたは他の最新の高密度パッキング部品などの部品付き回路基板を脱フラックスするときに有用である。フリップ・チップ、μＢＧＡ、およびチップ・スケールは、半導体業界で使用される高密度パッキング部品を説明する、そして当業者によって十分に理解される用語である。
【０１０９】
別の実施形態では、本発明は、表面または基材を本発明の組成物と接触させる工程と、表面または基材を組成物から回収する工程とを含む、表面または基材からの残渣の除去方法に関する。
【０１１０】
本発明の方法の実施形態では、表面または基材は集積回路デバイスであってもよく、そのケースでは、残渣はロジン・フラックスまたは油を含む。集積回路デバイスは、フリップ・チップ、μＢＧＡ、またはチップ・スケールパッキング部品などの様々なタイプの部品付き回路基板であってもよい。表面または基材はさらに、ステンレススチールなどの金属表面であってもよい。ロジン・フラックスは、ＲＭＡ（少し活性化されたロジン）、ＲＡ（活性化ロジン）、ＷＳ（水溶性）、およびＯＡ（有機酸）を含むがそれらに限定されない、集積回路デバイスのはんだ付けに一般に使用される任意のタイプのものであってもよい。油残渣には、鉱油、モーター油、およびシリコーン油が含まれるがそれらに限定されない。
【０１１１】
本発明の方法では表面または基材を接触させるための手段は決定的には重要ではなく、本組成物を含む浴へのデバイスの浸漬、本組成物をデバイスに吹き付けるまたは本組成物で湿らされた基材でデバイスを拭くことによって行われてもよい。あるいはまた、本組成物はまた、かかる残渣除去のためにデザインされた蒸気脱脂または脱フラックス装置で使用されてもよい。かかる蒸気脱脂または脱フラックス機器は、とりわけ、フォワード・テクノロジー（クレスト・グループ、ニュージャージー州トレントンの子会社）（Ｆｏｒｗａｒｄ  Ｔｅｃｈｎｏｌｏｇｙ（ｓｕｂｓｉｄｉａｒｙ  ｏｆ  ｔｈｅ  Ｃｒｅｓｔ  Ｇｒｏｕｐ，Ｔｒｅｎｔｏｎ，ＮＪ））、トレック・インダストリーズ（カリフォルニア州アズサ）（Ｔｒｅｋ  Ｉｎｄｕｓｔｒｉｅｓ（Ａｚｕｓａ，ＣＡ））およびウルトロニックス社（ペンシルバニア州ハットフィールド）（Ｕｌｔｒｏｎｉｘ，Ｉｎｃ．（Ｈａｔｆｉｅｌｄ，ＰＡ））などの様々な供給業者から入手可能である。
【０１１２】
表面から残渣を除去するために有効な組成物は、少なくとも約１０、好ましくは約４０、さらにより好ましくは約１００のカウリ−ブタノール（Ｋａｕｒｉ−Ｂｕｔａｎｏｌ）値（Ｋｂ）を有するであろう。所与の組成物についてのカウリ−ブタノール値（Ｋｂ）は、様々な有機残渣（例えば、機械および通常の冷凍潤滑油）を可溶化する前記組成物の能力を反映する。Ｋｂ値はＡＳＴＭ  Ｄ−１１３３−９４によって測定されてもよい。
【０１１３】
次の実施例は本発明を例示を目的としており、限定されるものではない。
【実施例】
【０１１４】
（実施例１）
（蒸気漏出の影響）
容器に初期組成物を規定温度で装入し、組成物の初期蒸気圧を測定する。初期組成物の５０重量パーセントが除去されるまで、温度を一定に保ちながら、組成物を容器から漏出させ、その時点で、容器中に残っている組成物の蒸気圧を測定する。結果を下の表６にまとめる。
【０１１５】
【表１２】
2008545837.tif 000014
【０１１６】
【表１３】
2008545837.tif 000015
【０１１７】
【表１４】
2008545837.tif 000016
【０１１８】
【表１５】
2008545837.tif 000017
【０１１９】
【表１６】
2008545837.tif 000018
【０１２０】
【表１７】
2008545837.tif 000019
【０１２１】
【表１８】
2008545837.tif 000020
【０１２２】
【表１９】
2008545837.tif 000021
【０１２３】
【表２０】
2008545837.tif 000022
【０１２４】
【表２１】
2008545837.tif 000023
【０１２５】
【表２２】
2008545837.tif 000024
【０１２６】
結果は、元の組成物と５０重量パーセントが除去された後に残る組成物との間の蒸気圧の差が本発明の組成物については約１０パーセント未満であることを示す。これは、本発明の組成物が共沸または擬共沸であることを示唆する。
【０１２７】
（実施例２）
（圧力を生成するための先端速度）
先端速度は、遠心圧縮機を用いる冷凍機器について幾つかの基本的な関係式を作成することによって推定することができる。インペラがガスに理想的に与えるトルクは
Ｔ＝ｍ＊（ｖ２＊ｒ２−ｖ１＊ｒ１）  式１
のように定義される。
式中、
Ｔ＝トルク、ニュートン−メートル
ｍ＝流れの質量速度、ｋｇ／秒
ｖ２＝インペラを出る冷媒の接線速度（先端速度）、メートル／秒
ｒ２＝出口インペラの半径、メートル
ｖ１＝インペラに入る冷媒の接線速度、メートル／秒
ｒ１＝インペラの入口の半径、メートルである。
【０１２８】
冷媒が本質的に軸方向にインペラに入ると仮定すれば、速度の接線成分ｖ１＝０であり、それ故、
Ｔ＝ｍ＊ｖ２＊ｒ２  式２
である。
【０１２９】
シャフトで必要とされる電力はトルクと回転速度との積である。
Ｐ＝Ｔ＊ω  式３
式中、
Ｐ＝電力、Ｗ
ω＝回転速度、ラジアン／秒
それ故、
Ｐ＝Ｔ＊ω＝ｍ＊ｖ２＊ｒ２＊ω  式４
である。
【０１３０】
低い冷媒流量では、インペラの先端速度および冷媒の接線速度はほぼ同一であり、それ故
ｒ２＊ｗ＝ｖ２  式５
および
Ｐ＝ｍ＊ｖ２＊ｖ２  式６
である。
【０１３１】
理想的な電力についての別の式は、流れの質量速度と圧縮の等エントロピー仕事との積である。
Ｐ＝ｍ＊Ｈｉ＊（１０００Ｊ／ｋＪ）  式７
式中、
Ｈｉ＝蒸発状態対飽和凝縮状態での飽和蒸気との冷媒のエンタルピーの差、ｋＪ／ｋｇである。
【０１３２】
２つの表現式６と７とを組み合わせると
ｖ２＊ｖ２＝１０００＊Ｈｉ  式８
を生成する。
【０１３３】
式８は幾つかの基本的な仮定に基づいているが、それはインペラの先端速度の良好な推定値を提供し、冷媒の先端速度を比較するための重要な方法を提供する。
【０１３４】
下の表は、１，２，２−トリクロロトリフルオロエタン（ＣＦＣ−１１３）および本発明の組成物について計算される理論先端速度を示す。この比較のために推定された条件は以下の通りである。
エバポレーター温度      ：４０．０°Ｆ（４．４℃）
凝縮器温度              ：１１０．０°Ｆ（４３．３℃）
液体サブクール温度      ：１０．０°Ｆ（５．５℃）
リターンガス温度        ：７５．０°Ｆ（２３．８℃）
圧縮機効率              ：７０％
【０１３５】
これらは、小タービン遠心圧縮機が機能する典型的な条件である。
【０１３６】
【表２３】
2008545837.tif 000025
【０１３７】
【表２４】
2008545837.tif 000026
【０１３８】
【表２５】
2008545837.tif 000027
【０１３９】
本実施例は、本発明の化合物がＣＦＣ−１１３の約±３５パーセント内の先端速度を有し、最小の圧縮機デザイン変更でＣＦＣ−１１３の有効な代替品であろうことを示す。ＣＦＣ−１１３の±１５パーセント内の先端速度の化合物が好ましい。
【０１４０】
（実施例３）
（性能データ）
次表は、ＣＦＣ−１１３と比べて様々な冷媒の性能を示す。データは次の条件に基づいている。
エバポレーター温度  ：４０．０°Ｆ（４．４℃）
凝縮器温度          ：１１０．０°Ｆ（４３．３℃）
サブクール温度      ：１０．０°Ｆ（５．５℃）
リターンガス温度    ：７５．０°Ｆ（２３．８℃）
圧縮機効率          ：７０％。
【０１４１】
【表２６】
2008545837.tif 000028
【０１４２】
【表２７】
2008545837.tif 000029
【０１４３】
データは、本発明の組成物がＣＦＣ−１１３に類似のエバポレーターおよび凝縮器圧力を有することを示す。幾つかの組成物はまた、ＣＦＣ−１１３より高いキャパシティまたはエネルギー効率（ＣＯＰ）を有する。
【０１４４】
本発明の具体的な実施形態が示され、記載されてきたが、さらなる変更および改良が当業者に想到されるであろう。従って、本発明は示された特定の形態に限定されないと理解されることが望ましく、添付の特許請求の範囲で本発明の趣旨および範囲から逸脱しないすべての変更を包含するものである。
【国際調査報告】
2008545837.tif 000031
2008545837.tif 000032
2008545837.tif 000033
2008545837.tif 000034
2008545837.tif 000035
2008545837.tif 000036